(57)【要約】  コンポーネント用の受け取り装置が、載置箇所（ＡＢＳ）に対して少なくとも１つのリニアドライブによって少なくとも部分的に第１、第２及び／又は第３の軸に沿って管理されて変位し、かつ／又はドライブによって、受け取り装置を通して案内される支持体を第１及び／又は第２の軸に沿って管理して走行させるように、整えられており、かつ、位置センサを有し、その位置センサが、コンポーネント載置箇所において支持体のポケット内に部分的にのみ載置されたコンポーネントを検出するために、コンポーネント載置箇所に対応づけられており、位置センサが支持体に対して側方で受け取り装置と次のように、すなわち位置センサが受け取り装置の運動を直接的に受け取り装置と一緒に実施するように、結合されている。
2020517110.tif 000002
【特許請求の範囲】
【請求項１】
コンポーネント（Ｂ）用の受け取り装置（２００）であって、前記受け取り装置が、載置箇所（ＡＢＳ）に対して少なくとも１つのリニアドライブ（ＬＡ４）によって少なくとも部分的に第１、第２及び／又は第３の軸線（Ｘ−、Ｙ−、Ｚ軸）に沿って管理されて変位し、かつ／又はドライブ（ＤＡ４）によって、受け取り装置（２００）を通して案内される支持体（３２０）を、第１及び／又は第２の軸（Ｘ軸、Ｙ軸）の１つに沿って管理して走行させるように、整えられており、かつ受け取り装置が位置センサ（Ｋ６）を有し、前記位置センサが、コンポーネント載置箇所（ＡＢＳ）において支持体（３２０）のポケット内に部分的にのみ載置されたコンポーネント（Ｂ）を検出するために、コンポーネント載置箇所（ＡＢＳ）に対応づけられており、位置センサ（Ｋ６）が支持体（３２０）に対して側方で受け取り装置（２００）と次のように、すなわち位置センサ（Ｋ６）が受け取り装置（２００）の運動を直接的に受け取り装置と一緒に実施するように、結合されている、コンポーネント（Ｂ）用の受け取り装置（２００）。
【請求項２】
受け取り装置が、回転ドライブ（ＤＡ３）によって、少なくとも部分的に、載置箇所（ＡＢＳ）を含む第３の軸（Ｚ軸）を中心に管理されて回転するように、整えられている、請求項１に記載のコンポーネント（Ｂ）用の受け取り装置（２００）。
【請求項３】
センサ（Ｋ６）が、ドライブ（ＬＡ３）によってもたらされる、第１の軸（Ｘ軸）に沿った、かつ／又はドライブ（ＬＡ４）によってもたらされる、第２の軸（Ｙ軸）に沿った、かつ／又はドライブ（ＤＡ３）によってもたらされる、第３の軸（Ｚ軸）を中心とする、受け取り装置（２００）の運動を、受け取り装置（２００）と一緒に実施する、請求項１又は２に記載のコンポーネント（Ｂ）用の受け取り装置（２００）。
【請求項４】
載置箇所（ＡＢＳ）においてコンポーネント（Ｂ）の位置に関して、フレーム（３５０）内で案内される支持体（３２０）のポケットの上方の端縁を検出するために、センサ（Ｋ６）が受け取り装置（２００）のフレーム（３５０）と堅固に結合されており、コンポーネント（Ｂ）を収容するためのポケットを有する支持体（３２０）が、前記フレーム内で案内される、請求項１から３のいずれか１項に記載のコンポーネント（Ｂ）用の受け取り装置（２００）。
【請求項５】
センサ（Ｋ６）がストライプ−光センサとして形成されており、前記ストライプ−光センサが、フレーム（３５０）の１つの側に固定的に配置されており、かつ、フレーム（３５０）の反対側の側に配置されたストライプ光源（３６０）からの光バンド（ＬＢ）を検出するように、整えられている、請求項１から４のいずれか１項に記載のコンポーネント（Ｂ）用の受け取り装置（２００）。
【請求項６】
センサ（Ｋ６）が次のように、すなわち光バンド（ＬＢ）を、支持体（３２０）の上面に対して少なくともほぼ平行に、支持体（３２０）の移送方向に対して横方向に、移送方向におけるポケットの寸法に少なくとも相当する長さで走査した後に、光バンドを検出し、この検出した光バンド（ＬＢ）をその長さについて評価するように、整えられており、光バンド（ＬＢ）が載置箇所（ＡＢＳ）においてフレーム（３５０）内で案内される支持体（３２０）のポケットの上方の端縁に対して次のように、すなわち支持体（３２０）のポケット内に完全に載置されていないコンポーネント（Ｂ）がポケットから少なくとも部分的に張り出し、したがって光バンド（ＬＢ）がそれに応じて少なくとも部分的に遮られるように、方向付けされており、かつセンサＫ６が、それを制御装置（ＥＣＵ）へ伝えるように整えられている、請求項４又は５に記載のコンポーネント（Ｂ）用の受け取り装置（２００）。
【請求項７】
センサ（Ｋ６）が、支持体（３２０）の下方において側方にフレーム（３５０）に配置されており、かつ、偏向ミラー（Ｍ）が設けられており、前記偏向ミラーが支持体（３２０）の上側を走査する光バンド（ＬＢ）をフレーム（３５０）に固定されたセンサ（Ｋ６）へ案内し、かつ／又は、
光源（３６０）が、支持体（３２０）の下方において側方にフレーム（３５０）に配置されており、かつ、第２の偏向ミラーが、光バンド（ＬＢ）を、支持体（３２０）の上側を越えて偏向ミラー（Ｍ）へ案内する、
請求項１から６のいずれか１項に記載のコンポーネント（Ｂ）用の受け取り装置（２００）。
【請求項８】
センサ（Ｋ６）が、白黒カメラとして、又はカラーカメラとして形成されている、請求項１から７のいずれか１項に記載のコンポーネント（Ｂ）用の受け取り装置（２００）。
【請求項９】
画像特性センサ及び／又は位置センサ（Ｋ４）が、受け取るべきコンポーネント（Ｂ）もしくは受け取り箇所に特性エラー及び／又は位置エラーがある場合に、しかるべき補正運動を行わせるために、制御装置（ＥＣＵ）によって補正指示を発生させる目的をもって、受け取るべきコンポーネント（Ｂ）の特性及び／又は位置をその特性及び／又は受け取り箇所（ＥＳ１、ＥＳ２）の少なくとも１つに対するその位置に関して、求めるために設けられており、かつ／又は、
第４の回転ドライブ（ＤＡ４）が、制御装置（ＥＣＵ）からの制御信号によって駆動されて、受け取り装置（２００）を通して案内される支持体（３２０）を機械的な牽引によって、第１及び／又は第２の軸（Ｘ−、Ｙ軸）の１つに沿って管理して走行させるように
整えられており、かつ／又は、
第３の回転ドライブ（ＤＡ３）が、制御装置（ＥＣＵ）からの制御信号によって駆動されて、画像特性及び／又は位置センサからの信号に従って、受け取り箇所（ＥＳ１、ＥＳ２）の少なくとも１つをそこに位置する支持体（３２０）のコンポーネント収容部と共に、載置箇所（ＡＢＳ）を含む第３の軸（Ｚ軸）を中心に管理して回転させるように、整えられており、かつ／又は、
少なくとも１つのリニアドライブが、制御装置（ＥＣＵ）からの制御信号によって駆動されて、受け取り装置（２００）を支持体（３２０）の隣接するコンポーネント収容部の間隔の一部だけ第１、第２及び／又は第３の軸（Ｘ−、Ｙ−、Ｚ軸）の１つに沿って管理して走行させるように、整えられており、かつ／又は、
回転ドライブ（ＤＡ４）が、受け取り装置（２００）を通して案内される支持体（３２０）を支持体（３２０）の隣接するコンポーネント収容部の間隔に従って、第１及び／又は第２の軸（Ｘ−、Ｙ軸）の１つに沿って前進させるように、整えられている、
請求項１から８のいずれか１項に記載の受け取り装置（２００）。
【請求項１０】
受け取り装置（２００）の受け取り箇所（ＥＳ１、ＥＳ２）の少なくとも１つから、かつ／又は受け取り装置（２００）内で案内されている支持体（３２０）から、欠陥のある、かつ／又は誤って位置決めされたことが認識されたコンポーネント（Ｂ）を除去するために、吸い出し及び／又は吹き出し装置（３４０）が設けられており、かつ／又は、
受け取り装置が転向装置（１５０）からコンポーネントを受け取り、前記転向装置の回転軸が受け取り装置（２００）の移送方向に対して実質的に平行に方位づけされており、又は受け取り装置（２００）がコンポーネント（Ｂ）を転向装置（１５０）から受け取り、前記転向装置の回転軸が受け取り装置（２００）の移送方向に対して実質的に横方向に方位づけされている、
請求項１から９のいずれか１項に記載の受け取り装置（２００）。
【請求項１１】
転向装置（１５０）の中央に、受け取るべきコンポーネントの特性及び／又は位置を求めるため、かつ／又は受け取り装置内の受け取り箇所かつ／又はその中にあるコンポーネントの位置を求めるために、画像特性及び／又は位置センサ（Ｋ４）が設けられており、かつ転向装置（１５０）の周面に位置する、隣接する収容部（１５２）を通して、引き渡し箇所（ＡＢＳ）の少なくとも１つ又は受け取り装置（２００）内の受け取り箇所（ＥＳ１、ＥＳ２）の画像取り込みを実施するように、整えられている、請求項１から１０のいずれか１項に記載の受け取り装置（２００）。
【請求項１２】
受け取り装置が載置箇所（ＡＢＳ）に対して、リニアドライブによって少なくとも部分的に第１の軸（Ｘ軸）に沿って管理されて両方向に走行し、かつ／又は回転ドライブ（ＤＡ４）によって、受け取り装置（２００）を通して案内される支持体（３２０）が第１及び／又は第２の軸の１つに沿って管理されて、支持体（３２０）の移送方向に走行し、かつ受け取り装置（２００）を通して案内される支持体（３２０）に２つの受け取り箇所（ＥＳ１、ＥＳ２）が設けられており、前記受け取り箇所がコンポーネント（Ｂ）のための載置箇所（ＡＢＳ）に対して、ドライブの管理された操作によって、少なくともほぼ整合するように方向づけされており、かつ画像特性及び／又は位置センサ（Ｋ４）が、受け取り装置内の受け取り箇所（ＥＳ１、ＥＳ２）の少なくとも１つにおける、その特性及び／又はその位置に関して調査すべきコンポーネントの特性及び／又は位置を供給し、特性及び／又は位置センサからの画像データに基づいて、コンポーネントに特性及び／又は位置エラーがある場合に、制御装置（ＥＣＵ）によって、受け取り装置（２００）及び／又はその中で案内される支持体（３２０）のしかるべき補正運動を行わせるために補正指示が行われ、かつ受け取り装置（２００）に吸い出し及び／又は吹き出し装置（３４０）が対応づけられており、それによって受け取り装置（２００）内の受け取り箇所（ＥＳ１、ＥＳ２）の少なくとも１つ、及び／又は受け取り装置（２００）内で案内される支持体（３２０）から、欠陥のある、かつ／又は誤って位置決めされたことが認識されたコンポーネント（Ｂ）が除去される、請求項１から１１のいずれか１項に記載の受け取り装置（２００）。
【請求項１３】
吸い出し位置が、載置箇所（ＡＢＳ）と一致するか、又は第２の受け取り箇所（ＥＳ２）とは異なる位置に、載置箇所（ＡＢＳ）に対して上流側又は下流側に設けられており、かつ／又は
吸い出し位置（ＡＢＳ）が受け取り装置（２００）内で案内される支持体の移送方向において、第１の受け取り箇所（ＥＳ１）よりも第２の受け取り箇所（ＥＳ２）からさらに離隔しており、かつ／又は
、欠陥のある、かつ／又は誤って位置決めされたことが認識されたコンポーネント（Ｂ）を除去するために、吸い出し装置及び／又は吹き出し装置（３４０）が、引き戻された（非作動）位置から吸い出し位置へ揺動又は移動されるように、整えられている、
請求項１から１２のいずれか１項に記載の受け取り装置（２００）。
【請求項１４】
特に請求項１に記載の受け取り装置（２００）から欠陥のあるコンポーネント（Ｂ）を取り出す方法であって、方法が以下のステップ：
第１の受け取り箇所（ＥＳ１）におけるコンポーネント（Ｂ）について、支持体（（３２０）のポケット内に正しく載置されていないコンポーネント（Ｂ）を検出し、
受け取り装置（２００）をリニアドライブ（ＬＡ３）によって移送方向とは逆に移動させ、それによって正しく載置されなかったコンポーネント（Ｂ）が吸い出し位置に配置され、受け取り装置（２００）内で案内される支持体（３２０）を移送せず、
正しく載置されなかったコンポーネント（Ｂ）を吸い出し位置において支持体のポケットから吸い出すことによって引き抜き、
受け取り装置（２００）をリニアドライブ（ＬＡ３）によって移送方向に移動させ、それによってコンポーネント（Ｂ）のための空のポケットが第１の受け取り箇所（ＥＳ１）に配置され、受け取り装置（２００）内で案内される支持体（３２０）を移送せず、
第１の受け取り箇所（ＥＳ１）において支持体（３２０）のポケット内にコンポーネント（Ｂ）を載置する、
を有する、方法。
【発明の詳細な説明】
【技術分野】
【０００１】
本発明は、コンポーネント用の受け取り装置に関する。この受け取り装置が、コンポーネント操作装置及び画像センサとの協働において説明されている。
【０００２】
ここではコンポーネントは、例えば（電子的な）半導体コンポーネントであって、「チップ」又は「ダイ」とも称される。この種のコンポーネントは、通常、プリズム状の形態、複数の側面と上面及び端面を有する、実質的に多角形の、例えば四角形（矩形又は方形）の横断面を有している。コンポーネントの側面と２つの（下方と上方の）端面は、以下で一般的に側面と称する。コンポーネントは、４つとは異なる数の側面を有することもできる。コンポーネントは、光学的なコンポーネント（プリズム、ミラー、レンズなど）であってもよい。全体としてコンポーネントは、任意の幾何学形状を有することができる。
【０００３】
出願人の企業上の実際からは、いわゆる収容及び載置装置が知られており、それらの装置内でコンポーネントが吸引器又は把持器によってコンポーネントテーブルから収容されて、次に支持体又は移送容器などの上に載置される。コンポーネントを載置する前に、通常コンポーネントの検査が行われる。そのために１つ又は複数のカメラによってコンポーネントの１つ又は複数の側面が記録されて、自動化された画像処理を用いて評価される。
【背景技術】
【０００４】
この種の把持器は、コンポーネントを移送の間及びコンポーネントの、例えば下端面の画像を検出する間しっかりと保持する。例えば、独国特許出願公開第１０２００８０１８５８６号明細書は、第１の作業位置から第２の作業位置へ移送されるコンポーネントの表面を検出するための光学的な検出装置、コンポーネントの少なくとも第１の表面へ向けられるカメラ、短波の光ビームを第１の表面へ送出する光源を示している。第２の光源が長波の光ビームをコンポーネントの少なくとも第２の表面へ送出する。カメラは、表面で反射された第１と第２の光ビームを受信する。例えば下面と全部で４つの側面とを有する四辺形コンポーネントの場合にそうであるように、１つ／複数の第２の表面は、１つ／複数の第１の表面に対して異なるように方向づけされている。
【０００５】
欧州特許第１４７０７４７号明細書は、チップ取り出し装置、チップ取り出しシステム、装填システム及びチップを取り出してさらに処理する方法に関する。チップがウェファから取り出されて、引き渡し箇所へ移送され、同時に転向される。構造化された半導体ウェファからチップを取り出すためのこのチップ取り出し装置は、ウェファからチップを取り出して、取り出したチップをその長手軸又は横軸を中心に転向させるための回転可能な取り出し工具及び取り出したチップをその長手軸又は横軸を中心にあらたに転向させるための回転可能な転向工具を搭載しており、その転向工具が取り出し工具と協働する。取り出し工具が第１の引き渡し位置を有し、転向工具が第２の引き渡し位置を有しており、それらにおいてチップがさらに処理するために装填ヘッドへ引き渡し可能である。
【０００６】
欧州特許出願公開第０９０６０１１号明細書は、電気的コンポーネントを取り出して基板上に装填するための装置に関する。この装置は、回転可能な引き渡し装置を有しており、その引き渡し装置が収容位置において供給モジュールから電気的コンポーネントを取り出して、第１の引き渡し位置において吸引バンドへさらに処理するために引き渡す。回転可能な装填ヘッドを用いて、コンポーネントが吸引バンドから収容されて、第２の引き渡し位置へ移送される。
【０００７】
国際公開第０２／０５４４８０号は、取り付けるべきチップの種々の表面を検査するための装置に関する。この装置は、第１の上方の移送ディスクを有しており、その移送ディスクは、供給ユニットからチップを取り出して、第１の引き渡し箇所へ移送するように、整えられている。チップは、第１の、上方の移送ローラの外表面に形成されている吸引開口部内に保持されて、上方の移送ディスクの回転によって移動される。装置はさらに、上方の移送ディスクと同様に形成された第２の、下方の移送ディスクを有しており、その下方の移送ディスクが取り出されたチップを第１の引き渡し位置において収容して、第２の引き渡し位置へ移送する。この装置は、移送ディスクの側方隣に、チップの上側と下側を検査するカメラが配置されていることによって、チップの検査を可能にする。チップは、さらに、最初の方位に対して転向されずに分類装置へ、さらに処理するために引き渡される。
【０００８】
米国特許第４６１９０４３号明細書は、電子コンポーネント、特にチップを取り出してプリント基板上へ取り付ける装置と方法を開示している。この装置は、収容ユニット内にチップを収容して、収容したチップを第１の引き渡し位置へ移送するための移送手段を有している。したがって移送手段は、移送チェーンと回転可能なチェーンホィールとを有しており、それらが係合する。装置はさらに、第１の引き渡し位置においてチップを収容するための装填ヘッドを備えた回転可能な固定工具を有している。固定工具はさらに、収容したチップを回転運動によって第２の引き渡し位置へ移送するように、整えられており、チップが転向される。
【０００９】
特開平２−１９３８１３号公報は、電子コンポーネントを収容して転向させる装置に関するものであって、そのコンポーネントは検査装置によって検査される。装置は、供給ユニットを有しており、その供給ユニットからチップ形状の電子コンポーネントが第１の回転するボディによって取り出されて、その周面に配置される。回転するボディの回転運動によって、電子コンポーネントが第１の引き渡し位置へ移送され、それによってコンポーネントがその長手軸又は横軸を中心に転向される。装置は、さらに、第２の回転するボディを有し、そのボディが取り出された電子コンポーネントを第１の引き渡し位置において収容して、第２の引き渡し位置へ移送する。電子コンポーネントをその長手軸又は横軸を中心にさらに転向させる。したがってこの装置は、コンポーネントの様々な面を検査することを可能にする。
【００１０】
米国特許第６０７９２８４号明細書は、タブレットを広範囲に視覚検査する装置に関する。この装置は、第１の検査ドラムを有しており、この検査ドラムがその外表面に形成された吸引孔を用いて供給装置からタブレットを取り出して、それを回転によって第２の検査ドラムへ移送する。第２のドラムには、第１のドラムと同様に吸い込み孔が形成されており、それが引き渡し位置においてタブレットを収容する。装置は、さらに検査ユニットを有しており、それがタブレットの広範な検査を可能にする。
【００１１】
他の技術的背景は、特開２００１−７４６６４号公報、特公平１−１９３６３０号公報、米国特許第５７５０９７９号明細書、国際公開第８５／０４３８５号、独国特許出願公開第１９９１３１３４号明細書、特開平８−２２７９０４号公報から読み取ることができる。
【先行技術文献】
【特許文献】
【００１２】
【特許文献１】独国特許出願公開第１０２００８０１８５８６号明細書
【特許文献２】欧州特許第１４７０７４７号明細書
【特許文献３】欧州特許出願公開第０９０６０１１号明細書
【特許文献４】国際公開第０２／０５４４８０号
【特許文献５】米国特許第４６１９０４３号明細書
【特許文献６】特開平２−１９３８１３号公報
【特許文献７】米国特許第６０７９２８４号明細書
【特許文献８】特開２００１−７４６６４号公報
【特許文献９】特開平１−１９３６３０号公報
【特許文献１０】米国特許第５７５０９７９号明細書
【特許文献１１】国際公開第８５／０４３８５号
【特許文献１２】独国特許出願公開第１９９１３１３４号明細書
【特許文献１３】特開平８−２２７９０４号公報
【発明の概要】
【発明が解決しようとする課題】
【００１３】
高いスループットにおいて、コンポーネントの正確な操作とその検査を可能にする、コンポーネントのための受け取り装置を提供する。
【課題を解決するための手段】
【００１４】
この課題は、コンポーネント用の受け取り装置によって、解決され、その受け取り装置は、載置箇所に対して少なくとも１つのリニアドライブによって少なくとも部分的に第１、第２及び／又は第３の軸に沿って管理されて変位し、かつ／又は、ドライブによって受け取り装置を通して案内される支持体を第１及び／又は第２の軸に沿って管理して走行させるように、整えられている。受け取り装置が位置センサを有し、その位置センサは、コンポーネント載置箇所内で支持体のポケット内に傾いて、又は捻れて、部分的にのみ載置されているコンポーネントを検出するために、コンポーネント載置箇所に対応づけられており、位置センサは、位置センサが受け取り装置の運動を直接的に受け取り装置と一緒に実施するように、支持体に対して側方において受け取り装置と結合されている。
【００１５】
変形例において、コンポーネント用の受け取り装置の前段に、構造化されたコンポーネントストックからプリズム状のコンポーネントを取り出して、取り出したコンポーネントを受け取り装置に載置するためのコンポーネント操作装置が機能的に接続されている。複数の収容部を有する第１の転向装置は、供給箇所において構造化されたコンポーネントストックからコンポーネントを受け取って、受け取ったコンポーネントをその長手軸又は横軸を中心に第１のあらかじめ定められた角度だけ転向させて、引き渡し箇所へ移送するように、整えられている。複数の収容部を有する第２の転向装置は、引き渡し箇所において第１の転向装置の収容部からコンポーネントを受け取って、受け取ったコンポーネントをその長手軸又は横軸を中心に第２のあらかじめ定められた角度だけ転向させて、載置箇所へ移送するように、整えられている。第１と第２の転向装置に対応づけられた位置及び特性センサは、第１と第２の転向装置の位置データ、収容部内にあるコンポーネントの位置データ、及び／又は、収容部内にあるコンポーネントの特性を検出して、制御装置に提供するように、整えられている。制御装置は、第１の回転ドライブによって第１の転向装置を第１の軸を中心に管理して回転させ、第１のリニアドライブによって第１の転向装置を第１の軸に沿って管理して走行させ、第２の回転ドライブによって第２の転向装置を第１の軸と共線でない第２の軸を中心に管理して回転させ、かつ第２のリニアドライブによって第２の転向装置を第２の軸に沿って管理して走行させるように、整えられている。
【００１６】
すなわちここに提示される配置は、コンポーネントのための統合された受け取り装置／検査装置を形成する。受け取り箇所と（載置）ポケットという概念は、ここでは同じ意味で使用される。欠陥部品は、排除することができる。引き渡しプロセスに統合されている、コンポーネントの光学的な検査は、複数の調査プロセスに分割される。それは、コンポーネントの端面及び／又は側面、並びに、引き渡し／受け取り箇所における収容部の位置を光学的に検出するために、１つ又は複数の画像センサを利用する。この画像センサは、複数の調査プロセスにおいてそれぞれコンポーネントの端面及び／又は側面の１つのものの少なくとも１つの画像を検出するように、整えられている。コンポーネントの給送／移送は、転向装置の収容部がそれぞれコンポーネントを保持する間に行われる。保持されたコンポーネントは、移送の間に個々の調査プロセスを通過する。画像センサの検出した（画像）データは、マニピュレータ（収容部）と受け取り箇所の位置制御を調整するためにも用いられる。コンポーネント移送は、コンポーネントを実質的に連続して、又はクロック制御でそのルートに沿って移送するように、整えられている。
【００１７】
ここで提示される完全なアッセンブリは、機能的に２つの視点：操作と検査を一体化している。これら２つの機能は、コンポーネントの複数（６まで、又はそれ以上）の面を迅速かつ正確に質的に判定するために互いに縒り合わさっており、コンポーネントがコンポーネントストックから個別に取り出されて、検査によって良好部品として分類されて、１つ又は複数の受け取り箇所に正確に載置される。
【００１８】
コンポーネント操作装置は、２つの、好ましくは制御して駆動される、好ましくは互いに対して実質的に直交して（９０°プラスマイナス１５°まで）配置された、ほぼ星形又はホィール形状の転向装置を有している。これらの転向装置は、矩形の形状を有することもできる。これらの転向装置の各々は、その回転軸に対して径方向に走行可能な複数の収容部を有しており、それによってコンポーネントがそれぞれ収容部上に固定されて、コンポーネント引き取りと引き渡しの間の揺動角度内で、検査、欠陥品排除のための１つ又は複数のプロセスステーション及び場合によっては他のステーションへ供給される。
【００１９】
ここに提示されるコンポーネント操作装置において、星形又はホィール形状の転向装置は、径方向外側を向いた収容部にコンポーネントを支持し、それらの収容部は２つの転向装置の（仮想の）周面に配置されている。これは、１つ又は２つの転向装置の収容部がその回転軸に対して共平面又は平行に方位づけされているコンポーネント操作装置に対する差異と見なされる。
【００２０】
以上では、複数の調査プロセスについて述べられているが、それは時間的推移又は順序（最初に第１の調査プロセスにおける画像検出、そしてその後他の調査プロセスにおける画像検出）を定めるものではない。むしろ、逆の順序がより好ましい場合も、考えられる。個々の転向装置における収容部の数に従って、転向装置の各々に同時に複数のコンポーネントを収容することもできるので、調査プロセスは、異なるコンポーネントにおいても、同時に行われる。
【００２１】
個々の調査プロセス内で画像センサによって検出されるコンポーネントの（上方／下方の）端面及び／又は（側方の）側面は、コンポーネントの互いに異なる端面及び／又は側面とすることができる。
【００２２】
光学的調査の視点において、コンポーネントを有するコンポーネント移送は、実質的に静止状態なし、又はほぼなしのコンポーネントパスを完成させる。移動の間、又は最少の静止時間の間、コンポーネントの１つ又は複数の端面及び／又は側面が画像センサによって検出される。これらの画像は、次に画像処理の方法によって評価される。この光学的検出／調査の変形例において、画像センサとして１つ又は複数のカラーカメラ又は白黒カメラが設けられている。
【００２３】
画像センサは、１つ又は複数のミラー、光学的プリズム、レンズなどを有することができる。
【００２４】
画像センサに、放射源又は光源を対応づけることができる。各源は、コンポーネントの少なくとも１つのセクションを照明するために異なるスペクトル領域又は波長領域を有する光／放射を放出するように、整えることができる。波長領域は、少なくとも部分的に互いに異なり、重畳し、又は一致することができる。すなわち、例えば、第１の光源の光は赤であり、第２の光源の光は青であることができる。しかしまた逆の対応づけ、又は他の波長ペアリング（例えば赤外赤外線と可視光）を選択することもできる。
【００２５】
光源は、コンポーネントを有する収容部がそれぞれの検出領域にある場合に、制御配置によって瞬間的に短くオンにすることができるので、コンポーネントの端面及び／又は側面はそれぞれのセンサによって検出するために短い閃光によって露光することができる。代替的に永続的な照明を使用することができる。
【００２６】
変形例において、コンポーネント操作装置には放出装置が対応づけられており、それは、それぞれコンポーネントを構造化されたコンポーネントストックから、制御装置によってしかるべく位置決めされた、第１の転向装置の収容部へ放出するように、整えられている。これは、ニードルを用いてウェファ支持体箔を通してコンポーネントを放出する、コンポーネント排出器（イジェクタ）又は支持体箔におけるコンポーネントの付着接着剤を所望に溶融させるレーザーパルス発生器とすることができる。放出装置には、位置及び／又は特性センサが対応づけられており、それは、放出すべきコンポーネントに対する放出装置の位置、及び／又は、放出すべきコンポーネントの位置データ、及び／又は、放出すべきコンポーネントの特性を検出して、放出装置を操作するための制御装置に提供するように、整えられている。
【００２７】
変形例において、コンポーネント操作装置には、載置箇所に対応づけられた、移送されてくるコンポーネントのための受け取り装置が搭載されている。受け取り装置に位置及び／又は特性センサが対応づけられており、それは、載置箇所へ移送されるコンポーネントの位置データ、受け取り装置内の受け取り箇所及び／又はその中にあるコンポーネントの位置データ及び／又は特性データを検出して、制御装置に提供するように整えられている。制御装置は、第３の回転ドライブを用いて受け取り装置を少なくとも部分的に、載置箇所を含む第３の軸を中心に回転させるように、整えられている。制御装置は、また、受け取り装置を少なくとも第３のリニアドライブを用いて少なくとも部分的に軸に沿って管理して走行させるようにも、整えられている。そしてまた制御装置は、リニアドライブを用いて、受け取り装置を通して案内される支持体を、第１及び／又は第２の軸に沿って管理して走行させるように、整えられている。この支持体は、コンポーネントを個別化された形状で収容するために用いられる。
【００２８】
変形例において、コンポーネント操作装置において、第１及び／又は第２の転向装置の収容部は、それぞれの転向装置の回転軸又は回転中心に対して管理されて退出または進入し、かつ／又は移送すべきコンポーネントを受け取って放出するために管理されて負圧及び／又は過圧を供給され、かつ／又はそのそれぞれの径方向の運動軸を中心に移動せず、又はそれぞれの径方向の運動軸を中心にある回転角度だけ管理されて回動するように、整えられている。
【００２９】
この種類のコンポーネント操作装置の変形例においては、第１及び／又は第２の転向装置の収容部に、供給箇所（第１と第２の転向装置の間の引き渡し箇所）において径方向に出入りするように走行するために、これらに対応づけられたリニアドライブが設けられている。これらのリニアドライブが適切に位置決めされた収容部内へそれぞれの転向装置の外側から嵌入し、それぞれの収容部を径方向に出るように、かつ入るように走行させる。他の変形例においては、これらのリニアドライブは、それぞれの収容部を単に出るように走行させ、一方で復帰ばねがそれぞれの収容部を入るように走行させる。他の変形例において、収容部の各々に、双方向の、又は１方向のラジアルドライブが対応づけられている。
【００３０】
コンポーネント操作装置の変形例において、以下の機能を実現するために、弁が個々の収容部の各々に個別かつ正しい位置で、以下の機能を自由に、又は位置制御して実現するために、負圧と過圧を供給する：（ｉ）コンポーネントの吸引、（ｉｉ）コンポーネントの保持、（ｉｉｉ）制御された吹き出しパルス及び／又は自由な吹き出しによってコンポーネントを吹き出すこと、又はそれなしで、コンポーネントを載置する。
【００３１】
コンポーネント操作装置の変形例において、第１の転向装置に供給箇所と引き渡し箇所の間で、かつ／又は第２の転向装置に引き渡し箇所と載置箇所の間で、それぞれ位置及び特性センサが対応づけられている。これらのセンサは、移送されるコンポーネントの位置データ及び／若しくは特性、並びに／又は、マニピュレータ（収容部）と受け取り箇所の位置調整するための位置データを検出して、制御装置に提供するように、整えられている。
【００３２】
コンポーネント操作装置の変形例において、位置及び特性センサの少なくともいくつかは、それぞれ移送されるコンポーネントの少なくとも１つの端面及び／又は１つ又は複数の側面を検査し、その位置データ及び／又は特性を検出し、かつ制御装置に提供するように、整えられている。
【００３３】
コンポーネント操作装置の変形例において、第１の転向装置の中央及び／又は第２の転向装置の中央に、それぞれ画像特性及び／又は位置センサが、受け取るべきコンポーネントの特性及び／又は位置を求めるため、もしくは受け取り装置内の受け取り箇所又はその中にあるコンポーネントの位置を求めるために、設けられている。その後、このセンサ／これらのセンサの特性データ及び／又は位置データに基づいて、受け取るべきコンポーネントもしくは受け取り箇所に特性エラー及び／又は位置エラーがある場合に、制御装置によって補正を行うことができる。１つ／複数の画像センサは、第１及び／又は第２の転向装置の転向運動の間に、隣接する収容部の間で画像取り込みを実施し、かつ放出ユニット、コンポーネントストック又はウェファ、転向装置及び／又は受け取り装置のしかるべき補正運動を行わせるために、制御装置に提供するように、整えられている。他の変形例において、放出ユニットは固定である。
【００３４】
これらの画像特性及び／又は位置センサに加えて、又はその代わりに、第１と第２の転向装置に対して外部に、受け取るべきコンポーネントの特性及び／又は位置を求めるため、もしくは受け取り装置内の受け取り箇所及び／又はその中にあるコンポーネントの位置を求めるために、画像特性及び／又は位置センサを設けることができる。このセンサ／これらのセンサの特性データ及び／又は位置データに基づいて、受け取るべきコンポーネントもしくは受け取り箇所の特性エラー及び／又は位置エラーがあった場合に制御装置によって補正を行うことができる。上述した検査システムに関係なく、かつ機能的に構成要素として操作システムに対応づけて、２つの転向装置のそれぞれ中央に、上を向いたコンポーネントストックカメラ（９０°ミラーシステムと照明を有する）、又は、好ましくは（しかしながら必須ではなく）構造の等しい下方を向いた載置カメラとしてのアッセンブリを配置することができる。それらは、コンポーネントもしくは受け取り箇所の位置エラーが発生した場合に位置補正する目的で、コンポーネントもしくは受け取り箇所の位置を検出するために用いられる。画像取り込みは、それぞれ２つの転向装置の揺動運動の間に、収容部の間の窓領域を通して行われ、それに続いてウェファもしくは受け取り装置補正運動が行われる。ここでは、外部に配置されたウェハカメラもしくは載置カメラを有する代替案も、可能である。
【００３５】
コンポーネント操作装置の変形例において、引き渡し箇所及び／又は載置箇所の前段又は後段に排出箇所が接続されており、それは、制御装置によって制御されて、位置及び／又は特性センサの少なくとも１つによって欠陥品として認識されたコンポーネントを排出し、良品として受け取り装置内へ載置しないように、整えられている。
【００３６】
コンポーネント操作装置の変形例において、第１及び／又は第２の転向装置にそれぞれ整数ｎの収容部が対応づけられている。ｎ＞＝２が成立する。第１の転向装置の収容部の数と、第２の転向装置の収容部の数は、同じであっても、異なっていてもよい。
【００３７】
コンポーネント操作装置の変形例において、第１、第２及び／又は第３の軸は、互いに対してそれぞれ９０°プラスマイナス最大１０°又は１５°の角度を形成する。
【００３８】
コンポーネント操作装置の変形例において、位置／特性センサは、一致する、又は互いに異なる検出スペクトルを有する画像センサ、又は接触又は非接触で距離を測定する位置センサ又は接触又は非接触で検出する特性センサである。
【００３９】
位置及び特性センサは、直線的又は屈曲した光学軸を有する画像センサとすることができる。
【００４０】
位置及び特性センサのカメラシステムは、そのミラー及び照明ユニットを含めて、その空間的な配置によって次のように、すなわちそれぞれ向き合ったコンポーネント面とその２つの側面のコンポーネント検査が、唯一のプロセス位置において並列に実現可能であるように、組み合わせることができる。例えば直方体形状のコンポーネント６つすべての側面を完全に検査するために、全体として２つのプロセス位置で充分である。そのために２つのプロセス位置の各々において、コンポーネントの６つの側面の３つが検出される。変形例において、各転向装置の検査位置として、それぞれ第３のプロセス位置を、ほぼ水平に回転軸又は揺動軸の高さに定めることができる。
【００４１】
付加的な位置測定課題は、２つの他のカメラシステム（前側／後ろ側カメラ）に対応づけることができる。
【００４２】
コンポーネント操作装置の変形例において、第１及び／又は第２の転向装置は少なくともほぼ星形又はホィール形状に形成されている。これらの転向装置は、正確に配置することができ、かつそれぞれの軸に沿った、もしくはそれぞれの軸を中心とする位置決めは、軸方向に配置された線形もしくは回転作用する駆動装置によって、高解像度の（例えばロータリー又はリニアの）エンコーダと組み合わせて、行うことができる。それぞれの収容部は、外周に分配して配置することができ、かつ移送すべきコンポーネントのための径方向外側を向いた吸引接触箇所を有することができる。
【００４３】
転向装置が互いに対して軸方向に９０°変位して配置される利点は、１つの転向装置から次のそれへ引き渡す場合の移送プロセスの間、コンポーネントの位置が収容部軸を中心に、もしくは収容部のそれぞれの運動軸（もしくは転向装置軸）に対して９０°回転し、そのために収容部自体が回転走行可能に軸承される必要がないことにある。コンポーネントのこの方位変化が、さらに、４つのコンポーネント切断面（＝コンポーネント側面）のきわめて簡略化された検査を可能にする。そのために、コンポーネント切断面へ向いた、収容部運動軸に対して直交して（したがって転向装置の軸方向に）配置されたカメラシステムが用いられ、そのカメラシステムはコンポーネント切断面（＝コンポーネントの側面）自体に対して好ましくはきわめて小さい間隔を有する。
【００４４】
収容部とコンポーネントの互いに対する、もしくは引き渡し及び検査位置に対するエラー位置の検出は、収容部位置もしくはコンポーネント位置を測定する測定システムとしてのカメラシステムを利用して行われる。精度に関して要請がきわめて高い場合には、付加的に転向装置ごとにボンドツール位置検出のためのそれぞれ３つの距離測定するセンサを設けることができる。
【００４５】
カメラの光学軸が、検査されるコンポーネント表面を「貫通する」。それが、収容部位置のための参照システムを形成する。それに基づいて、回転する転向装置の理想の収容部運動平面に対して平行な平面内に配置された距離測定するセンサによって、目標運動軌跡からの収容部運動軌跡の偏差が求められる。それに基づいて、引き渡し位置において発生する位置エラーを定めることができ、かつ制御装置によって補償することができる。
【００４６】
付加的な位置センサの機能原理に応じて、進行するプロセス内で、又はサイクリックに繰り返される参照走行の間にも（例えば走査接触する測定センサによって必要）、収容部位置に対する参照測定が実現される。そのために、空間的な位置エラーを検出するためのプロセス開始時にも、熱的にもたらされる変位を算入するためのプロセスの間も、サイクリックな参照走行（短時間のプロセス中断をもって接触するセンサの場合）が必要であり、後者は、比較的長くなることがあり得る。
【００４７】
変形例において、転向装置の位置エラーを補償するために、特にコンポーネント引き渡し位置における収容部及びその上に固定されているコンポーネントが（引き渡し及び検査位置において）ロータドライブの回転補正運動及び直交して、軸方向における線形補正運動を実施する。そのために、変形例において、ロータ駆動アッセンブリを走行キャリッジ上に配置することができ、かつ位置制御されるドライブ、例えば偏心ドライブによって、制限された距離セグメントだけ走行させることができる。
【００４８】
コンポーネント操作装置の変形例において、複数の収容部を転向装置に結合することは、コンポーネント引き渡し位置から、順序において次の位置への補正値の伝達を必要とする。この補正は、固定の引き渡し位置で開始することができ、かつ最後のコンポーネントが受け取り箇所へ引き渡された場合に終了することができる。３つまでの軸に沿った加算的な位置エラーと３つまでの軸を中心とする回動が、受け取り装置によって補償される。
【００４９】
コンポーネント操作装置の変形例において、収容部は、そのそれぞれの転向装置に回転可能に軸承されていない。すなわち移送自体の間のコンポーネントの方位エラー補償は、行うことができない。したがって変形例において、後段に位置する周辺領域内に、特に受け取り装置内に、軸位置補正の他に、回転補正可能性も設けられる。
【００５０】
コンポーネント操作装置の他の変形例において、回転補正は、回転可能に軸承された収容部によって行われる。したがって移送自体の間にコンポーネントの方位エラーの補償を行うことができる。方位エラーは、上方及び／又は下方の転向装置の回転可能に軸承された収容部によって、好ましくは下方の転向装置の収容部によって、補正される。
【００５１】
ここに提示される変形例は、従来技術に比較してコスト的により好ましく、より大きいコンポーネントスループット、検査のためのより多い時間を提供し、かつ移動される質量はより少ない。
【００５２】
もっと正確には、受け取り装置のため、特に上述した種類のコンポーネント受け取り装置のための解決が提示され、それにおいてコンポーネント用の受け取り装置は、載置箇所に対して少なくとも１つのリニアドライブによって少なくとも部分的に第１、第２及び／又は第３の軸に沿って管理されて変位し、かつ／又は駆動装置によって、受け取り装置を通して案内される支持体を第１及び／又は第２の軸の１つに沿って管理して走行させるように、整えられている。受け取り装置が位置センサを有し、その位置センサは、コンポーネント載置箇所において支持体のポケット内に部分的にのみ載置されたコンポーネントを検出するために、コンポーネント載置箇所に対応づけられており、位置センサは、位置センサが受け取り装置の運動を直接的に受け取り装置と一緒に実施するように、支持体に対して側方において受け取り装置と結合されている。
【００５３】
変形例において、この受け取り装置は、回転ドライブによって少なくとも部分的に、載置箇所を含む第３の軸を中心に管理されて回転するように、整えられている。
【００５４】
この変形例において、センサは、第１の軸に沿った、かつ／又は第２の軸に沿った、かつ／又は第３の軸を中心とする、受け取り装置の運動を、受け取り装置と共に実施することができる。
【００５５】
そのために、変形例においては、センサは、受け取り装置のフレームと堅固に結合されており、そのフレーム内でコンポーネントを収容するためのポケットを有する支持体が案内されている。すなわち、センサは、載置箇所においてコンポーネントの位置に関して、フレーム内で案内される支持体のポケットの上方の端縁を検出する。
【００５６】
変形例においてセンサは、ストライプ−光センサとして形成されている。それは、フレームの一方の側の固定位置に配置され、かつ、フレームの逆の側に配置されたストライプ−光源から放射された光バンドを検出するように、整えられている。
【００５７】
さらにセンサは、この光バンドが支持体の移送方向に対して横方向に支持体の上面に対してほぼ平行に、移送方向におけるポケットの寸法に相当する長さにおいて走査した後に、光バンドを検出して、その検出した光バンドをその長さに関して評価するように、整えることができる。光バンドは光源によって、載置箇所においてフレーム内で案内される支持体のポケットの上方の端縁に対して次のように、すなわち支持体から少なくとも部分的に張り出す、支持体のポケット内に完全に載置されていないコンポーネントが、それに応じて光バンドを少なくとも部分的に遮るように、方向付けすることができる。そのためにセンサは、それを制御装置へ伝達するように、整えられている。
【００５８】
変形例において、センサは、支持体の下方においてフレームに側方に配置することができ、かつ、偏向ミラー（Ｍ）は、支持体の上側を走査する光バンドをフレームに固定されたセンサへ案内するために、設けることができる。代替的又は付加的に、光源を支持体の下方においてフレームに側方に配置することができ、かつ、第２の偏向ミラーが、光バンドを支持体の上側を介して偏向ミラーへ案内することができる。
【００５９】
センサは、白黒カメラとして、又はカラーカメラとして形成することができる。
【００６０】
受け取るべきコンポーネントもしくは受け取り箇所に特性及び／又は位置エラーがある場合に、制御装置によってしかるべき補正運動を行わせるための補正指示を形成する目的で、受け取り装置に、受け取るべきコンポーネントの特性及び／又は位置を、受け取り箇所の少なくとも１つに対するその特性及び／又はその位置に関して求めるための、画像特性及び／又は位置センサを設けることができ、かつ／又は、
第４の回転ドライブが、制御装置からの制御信号によって駆動されて、受け取り装置を通して案内される支持体を第１及び／又は第２の軸の１つに沿って管理して走行させるように、整えられており、かつ／又は、
第３の回転ドライブが、制御装置からの制御信号によって駆動されて、画像特性及び／又は位置センサからの信号に従って、受け取り箇所の少なくとも１つをそこにある支持体のコンポーネント収容部と共に、載置箇所を含む第３の軸を中心に管理して回転させるように、整えられており、かつ／又は、
少なくとも１つのリニアドライブが、制御装置からの制御信号によって駆動されて、受け取り装置を支持体の隣接するコンポーネント収容部の間隔の一部だけ、第１、第２及び／又は第３の軸の１つに沿って管理して走行させるように、整えられており、かつ／又は、
回転ドライブが、受け取り装置を通して案内される支持体を、支持体の隣接するコンポーネント収容部の間隔に従って、第１及び／又は第２の軸の１つに沿って前進させるように、整えられている。
【００６１】
吸い出し及び／又は吹き出し装置を受け取り装置に対応づけることができ、それによって移送装置内の受け取り箇所の少なくとも１つから、かつ／又は受け取り装置内で案内されている支持体から、欠陥のあるかつ／又は誤って位置決めされたと認識されたコンポーネントを除去することができ、かつ／又は、
受け取り装置は、その回転軸が受け取り装置の移送方向に対して実質的に平行に方位づけされた転向装置からコンポーネントを受け取り、又は、
受け取り装置は、その回転軸が受け取り装置の移送方向に対して実質的に横方向に方位づけされている転向装置からコンポーネントを受け取る。
【００６２】
受け取るべきコンポーネントの特性及び／若しくは位置を求めるため、又は、受け取り装置内の受け取り箇所及び／若しくはその中にあるコンポーネントの位置を求めるため、転向装置の中央の画像特性及び／又は位置センサを、受け取り装置へ向けることができ、そのセンサは、転向装置の周面に位置する、隣接する収容部の間を通して、載置箇所又は受け取り装置の受け取り箇所の少なくとも１つの画像取り込みを実施するように、整えられている。
【００６３】
受け取り装置は、載置箇所に対して、リニアドライブによって少なくとも部分的に第１の軸に沿って管理されて両方向に走行することができ、かつ／又は、受け取り装置を通して案内される支持体は、回転ドライブによって、第１及び／又は第２の軸の１つに沿って管理されて支持体の移送方向に走行することができる。受け取り装置を通して案内される支持体に２つの受け取り箇所を設けることができ、それらはコンポーネントのための載置箇所に対して、ドライブの管理された操作によって少なくともほぼ整合するように方向付けされており、かつ、画像特性及び／又は位置センサは、受け取り装置内の少なくとも１つの受け取り箇所内の、その特性及び／又は位置に関して調査すべきコンポーネントの特性及び／又は位置を提供し、特性及び／又は位置センサからの画像データに基づいて、コンポーネントの特性エラー及び／又は位置エラーがある場合に、制御装置によって受け取り装置及び／又はその中で案内される支持体のしかるべき補正運動を行わせるために、補正指示が行われる。さらに、受け取り装置内の少なくとも１つの受け取り箇所かつ／又は受け取り装置内で案内される支持体から、欠陥のあるかつ／又は誤って位置決めされたと認識されたコンポーネントを除去するために、吸い出し及び／又は吹き出し装置を受け取り装置に対応づけることができる。
【００６４】
ここで提示される解決は、転向装置の位置及び／又は姿勢を、受け取り装置の位置決め及び／又は回転によって同時に補償することを可能にする。したがって、従来技術に比較して、機械のコンポーネントスループットを増大させることができる。載置バンドのバンド駆動におけるあそびを回避するために、従来技術においては、ドライブが互いに対して調整されなければならない。ここに提示される解決は、それを回避する。というのは、移送が常に１方向のみに行われるからである。これは特に、支持体バンドのポケットが接着性のカバーバンドによって次々と閉鎖される適用において役立つ。支持体バンドを再び戻るように移送する場合に、カバーバンドを再び剥がそうとすると、問題が生じてしまう。駆動におけるあそびを無視することができる。
【００６５】
他の変形例においては、逆方向に移送することもできる。
【００６６】
コンポーネントの位置の補正は、受け取り装置において行われる。そのためにより多くの時間が提供される。コンポーネントが載置されるバンドの逆移送はもはや不要である。したがって受け取り装置は、より単純に構成することができる。従来技術におけるような、バンドを逆移送するための第２の駆動ホィールは、もはや不要である。むしろ、必要とされる状況において、受け取り装置全体が載置バンドの移送方向とは逆に移動される。利点は、移送バンドの移送を介してのみ位置決めがもたらされる、既知の変形例に対して、コンポーネントの位置決め精度が高まることである。続いて移送バンド上に（自己接着する）カバーバンド（Cover-Tape）を取り付けることも、ずっと容易に行うことができる。
【００６７】
変形例において、受け取り装置は、固定配置のベースプレートの上方に配置されており、３つのドライブのモータは、ベースプレートの下方に配置されている。受け取り装置の位置は、Ｘ、Ｙ軸内でかつＺ軸を中心に回転調整することができる。受け取り装置の各移動方向には、専用のドライブが設けられている。個々のドライブの位置は、固定されていない。Ｚ補正のための回転軸は、コンポーネント載置位置の近傍に位置し、又は、その中央にくる。
【００６８】
受け取り装置の変形例において、この受け取り装置に２つの受け取り箇所が設けられており、それらは回転ドライブ及び／又はリニアドライブを管理して操作することによって、載置箇所に対して少なくともほぼ整合するように方向付けされる。２つの受け取り箇所は、支持体の隣接するコンポーネント収容部の間隔に応じて互いに対して位置決めされる。
【００６９】
受け取り装置の変形例において、受け取るべきコンポーネントの特性及び／又は位置を、受け取り装置内の少なくとも１つの受け取り箇所に対するその特性及び／又は位置に関して求めるために、画像特性及び／又は位置センサが設けられている。この画像特性及び／又は位置センサは、下方の転向装置の中心に配置されている。このセンサからの画像データによって、受け取るべきコンポーネントもしくは受け取り箇所に特性エラー及び／又は位置エラーがある場合に、制御装置によってしかるべき補正運動を行わせるために、補正指示を形成することができる。
【００７０】
他の変形例において、受け取り装置において２つの他の特性及び／又は位置センサが設けられている。一方のセンサは、品質エラーを調査するために、上方から第２の窓へ向けられている。他方のセンサは、上述したセンサよりも良好にコンポーネントの傾きを検出することができるようにするために、第１の窓の側方に配置されている。
【００７１】
受け取り装置の変形例において、第４の回転ドライブが、制御装置からの制御信号によって駆動されて、機械的牽引によって、受け取り装置を通して案内される支持体を第１及び／又は第２の軸の１つに沿って管理して、支持体の隣接するコンポーネント収容部の間隔の約８０−１２０％、好ましくは約１００％プラスマイナス最大３％だけ、走行させるように、整えられている。この回転ドライブは、制御装置からの制御信号によって駆動されて、画像特性及び／又は位置センサからの信号に従って、受け取り箇所の少なくとも１つをそこにある支持体のコンポーネント収容部と共に、載置箇所を含む第３の軸を中心に管理してプラスマイナス６°まで、好ましくはプラスマイナス３°まで回動させるように、整えることもできる。さらに、追加的又は代替的に、少なくとも１つのリニアドライブは、制御装置からの制御信号によって駆動されて、受け取り装置を、支持体の隣接するコンポーネント収容部の間隔のプラスマイナス最大約２０％だけ、好ましくはプラスマイナス３％まで第１、第２及び／又は第３の軸の１つに沿って管理して走行させるように、整えることができる。
【００７２】
受け取り装置の変形例において、第４の回転ドライブは、受け取り装置を通して案内される支持体を、支持体の隣接するコンポーネント収容部の間隔に応じて第１及び／又は第２の軸の１つに沿って前進させるように、整えられている。
【００７３】
受け取り装置の変形例において、受け取り装置内の少なくとも１つの受け取り箇所からかつ／又は受け取り装置内で案内される支持体から、欠陥のあるかつ／又は誤って位置決めされたと認識されたコンポーネントを除去するために、吸い出し及び／又は吹き出し装置が設けられている。
【００７４】
受け取り装置の変形例の駆動において、第４の回転ドライブによって駆動されるスプロケットが、載置バンドを移送方向に移送するための載置バンドの移送穴内へ嵌入する。スプロケットは、好ましくは前進方向のみに回転する。載置バンドは、規則的な間隔でコンポーネントのための載置ポケットを有している。載置ポケットあたり、スプロケットは固定の角度量（例えば３０°、６０°、９０°、１８０°．．．３６０°）回転する。第２の転向装置の中央のカメラによる画像記録から、コンポーネントが載置されている、載置ポケットの位置が認識される。さらに、第２の転向装置の周面に設けられたカメラによって、次に載置すべきコンポーネントが収容部にねじれて保持されるか、が認識される。これらの位置情報から、制御装置において、どの距離量及び／又は角度量だけ受け取り装置を位置決めし直さなければならないかが、計算される。さらに、受け取り装置を位置決めする場合に、コンポーネントを引き渡し箇所において上方の転向装置から下方の転向装置へ正しく引き取るために、転向装置がｘ方向とｙ方向にしかるべく移動されることも、考慮される。その後、受け取り装置は、必要な限りにおいて、コンポーネントの微調整を保証するために、（ｘ、ｙ）軸に沿って線形に走行し、場合によっては回転する。
【００７５】
コンポーネントが載置位置に載置された場合に、その上方に配置された第２の転向装置の中央のカメラは、コンポーネントが欠陥を有するか、すなわち載置によって損傷されたか、又は、その前にすでに欠陥を有しているか、も検出する。前もってすでにコンポーネントが欠陥を有していると認識されている限りにおいて、そのコンポーネントは載置されない。
【００７６】
受け取り装置内の載置位置は、同時に第１の吸い出し位置とすることもできる。そのために、受け取り装置において、負圧を有する吸い出し器が載置位置に配置されている。支持体バンドの移送方向において、第２の代替的な吸い出し位置が存在する。すなわち、受け取り装置に２つの窓が設けられている：載置位置を有する第１の窓、及び、吸い出し位置を有する第２の窓。２つの窓の間隔は、支持体バンドの間隔に対応し、この間隔に対して調節可能である。コンポーネントが正しく載置されず、したがってその中に斜めに配置されている又はまだ部分的に張り出している場合に、これは、第２の転向装置の中央のカメラによって認識される。支持体バンドは、正しく載置されなかったコンポーネントのせいで、それ以上移送できない。したがって、そのコンポーネントは、載置位置において吸い出されて、次に載置すべきコンポーネントに代えられる。コンポーネントが損傷している場合には、それをこの位置で同様に除去して、次に載置すべきコンポーネントに代えることができる。第２の窓の位置において、（場合によっては他のカメラによって）エラーについて検査することができる。コンポーネントが欠陥を有すると認識された場合に、受け取り装置全体が戻るように移動されて、欠陥を有すると認識されたコンポーネントが載置位置において吸い出される。
【００７７】
代替的に、欠陥を有すると認識されたコンポーネントを除去するために、第２の吸い出し位置を使用することができる。
【００７８】
ここに提示される配置によって、エラーを認識するためにコンポーネントを検査することが、可能である。コンポーネントは、第１及び第２の転向装置によって載置され、欠陥を有すると認識されたコンポーネントは載置位置において除去される。これは、共通の位置において行われる。
【００７９】
受け取り装置は、３つの方向において移動する：Ｘ軸方向とＹ軸方向及び載置位置の中央／近傍の（Ｚ）垂直軸を中心に。これも、支持体バンドが移送方向に移送されて、受け取り装置が、コンポーネント載置に対して位置決めするために、バンド移送方向に対して垂直に移動される、従来の配置に対する差異と見なされる。載置箇所は、皿（トレイ、例えばＪｅｄｅｃトレイ）の形態で、又は、アンテナテープとしても、存在することができる。
【００８０】
他の変形例においては、受け取り装置内の少なくとも１つの受け取り箇所から、かつ／又は、受け取り装置内で案内される支持体から、欠陥を有するかつ／又は誤って位置決めされたと認識されたコンポーネントを除去するために、受け取り装置に吸い出し及び／又は吹き出し装置が対応づけられている。
【００８１】
変形例において、受け取り装置は、コンポーネントを、その回転軸が受け取り装置の移送方向に対して実質的に平行に方位づけされている転向装置から受け取ることができる、又は、他の変形例において、受け取り装置は、コンポーネントを、その回転軸が受け取り装置の移送方向に対して実質的に横方向に方位づけされている転向装置から受け取ることができる。
【００８２】
変形例において、転向装置の中央に、受け取るべきコンポーネントの特性及び／若しくは位置を求めるために、又は、受け取り装置内の受け取り箇所及び／若しくはその中にあるコンポーネントの位置を求めるために、画像特性及び／又は位置センサが設けられている。この画像特性及び／又は位置センサは、転向装置の周面に位置する、隣接する収容部の間を通して、受け取り装置内の少なくとも１つの受け取り箇所の画像取り込みを実施するように、整えられている。
【００８３】
代替的な変形例において、受け取るべきコンポーネントの特性及び／若しくは位置を求めるために、又は、受け取り装置内の受け取り箇所及び／若しくはその中にあるコンポーネントの位置を求めるために、転向装置の中央に偏向ミラー又はプリズムが配置されており、それが、転向装置の外部に配置された画像特性及び／又は位置センサに対応づけられている。偏向ミラー又はプリズムは、転向装置の外部に配置されている画像特性及び／又は位置センサと共に、転向装置の周面に配置された、隣接する収容部の間を通して、受け取り装置内の少なくとも１つの受け取り箇所の画像取り込みを実施するように、整えられている。
【００８４】
受け取り装置は、載置箇所に対して、リニアドライブによって少なくとも部分的に第１の軸に沿って管理されて２つの方向に走行される。受け取り装置を通して案内される支持体が、回転ドライブによって、第１及び／又は第２の軸の１つに沿って管理されて支持体の移送方向に走行される。受け取り装置を通して案内される支持体には、２つの受け取り箇所が設けられており、それらは、ドライブの管理された操作によって、コンポーネントのための受け取り箇所に対して少なくともほぼ整合するように方向付けされる。画像特性及び／又は位置センサが、受け取り装置内の少なくとも１つの受け取り箇所内の、その特性及び／又はその位置に関して調査すべきコンポーネントの特性及び／又は位置を供給する。特性及び／又は位置センサからの画像データに基づいて、コンポーネントの特性エラー及び／又は位置エラーがある場合に、制御装置によって受け取り装置及び／又はその中で案内される支持体のしかるべき補正運動を実施させるために、補正指示が行われる。受け取り装置に、吸い出し及び／又は吹き出し装置が対応づけられており、それによって受け取り装置内の少なくとも１つの受け取り箇所及び／又は受け取り装置内で案内される支持体から、欠陥を有する及び／又は誤って位置決めされたと認識されたコンポーネントが除去される。
【００８５】
特に上述した構造／機能方法の、受け取り装置からエラーのあるコンポーネントを除去する方法は、以下のステップを有している：
第１の受け取り箇所においてコンポーネントのための支持体のポケット内に正しく載置されていないコンポーネントを検出し、
受け取り装置をリニアドライブによって移送方向に沿って、正しく載置されなかったコンポーネントが第２の受け取り箇所にくるように、移動させ、受け取り装置内で案内される支持体を移送せず、
第２の受け取り箇所においてコンポーネントのためのポケットから、正しく載置されていないコンポーネントを吸い出し、
受け取り装置をリニアドライブによって走行方向とは逆に戻るように移動させ、それによって第１の受け取り箇所にコンポーネントのための空のポケットが配置され、受け取り装置内で案内される支持体を移送せず、
第１の受け取り箇所における支持体のポケット内へコンポーネントを載置する。
【００８６】
品質要請が増大し、同時に電子コンポーネントの寸法が減少し、それらのコンポーネントをさらにどんどん短くなるプロセス時間内で処理しなければならないことに基づいて、従来のセンサ配置は充分でないことが認識されている。
【００８７】
したがって変形例として画像センサが提案され、そのセンサは、特に以上で開示された種類のコンポーネント操作装置内で、コンポーネントの位置及び／又は特性を検出するのに適しており、かつそのために定められている。この画像センサには、少なくとも２つの互いに異なる検出スペクトルが設けられている。それは特に、受け取り装置の受け取り箇所内に位置するコンポーネントの特性エラー及び／又は位置エラーを検出するのに適しておりかつそのために定められている。この画像センサは、放射源と協働するのに適しておりかつそのために定められており、その放射源は、放射スペクトルと放射当接角度かつ／又は画像センサに対する放射反射角度に関して、このセンサに合わせて調整されている。画像センサは、その後段に配置されている画像評価部の検出スペクトルの各々について、別々の画像を提供するのに適しておりかつそのように整えられている。
【００８８】
この画像センサにおいて、例えば少なくとも２つの互いに異なる、可視領域及び不可視領域内の検出スペクトルが設けられている。それらは、カラーセンサの赤のカラー領域（６３０ｎｍプラスマイナス３０ｎｍ）、及び／又は、緑のカラー領域（５３０ｎｍプラスマイナス６０ｎｍ）、及び／又は、青のカラー領域（４６０ｎｍプラスマイナス５０ｎｍ）として形成することもできる。
【００８９】
画像センサの変形例において、光学的に有効な部材が設けられており、それらは、センサを、受け取り装置内の少なくとも１つの受け取り箇所にある及び／又は受け取り装置内で案内される支持体内にある、コンポーネントと光学的に結合するように、整えられている。
【００９０】
画像センサの変形例において、光学的に有効な部材は、偏向ミラー、プリズム、カラーフィルタ及び／又はレンズを有している。
【００９１】
光学的に有効な部材及び／又は放射源のいくつかは、他のものとは関係なく能動化し、方向づけし、かつ／又は調整／合焦させるように、整えることができる。
【００９２】
ここに開示される統合された操作／検査装置は、画像センサを使用しており、それらのセンサは、一方で、コンポーネントのすべての又はほぼすべての端面及び／又は側面を検査し、他方で、第１及び／又は第２の転向装置並びに受け取り箇所においてマニピュレータ（収容部）を位置決めするための重要なデータも提供する。
【００９３】
第１（上方）の転向装置の画像センサは、変形例において、転向装置の中央のカラーカメラである。代替的に、カメラは、白／黒カメラであってもよく、それは、更なる変形例では、側方において、転向装置の中央の４５°偏向ミラーと協働する。このカメラは、上方の転向装置が回転する間に、２つの収容部の間の間隙を通して、次のステップにおいてコンポーネント排出器によってコンポーネントストックから個別化されるコンポーネントを検出する。その際に獲得された画像から、コンポーネントの検査も、コンポーネントストック内のその正確な位置決定も、可能である。画像取り込みは、上方の転向装置の回転の間に、覗き窓とも称される期間内に実施される。
【００９４】
ここに開示される、統合された操作／検査装置は、さらに、上方の転向装置において側方のカメラの形式の画像センサを使用する。これらのカメラは、上方の転向装置の径方向外側の約９０°において、コンポーネントの軌跡が正面で中央のカメラによって検出され、かつ、中央のカメラの両側に位置するカメラによってそれぞれ互いに対向する側面が検出されるように、配置されている。これらのカメラは、必ずしもカラーカメラである必要はない。複数の画像取り込みを行うことができる。というのは、上方の転向装置が短時間（１０ｍｓから６０ｍｓ、例えば４０ｍｓ）それぞれ後段のコンポーネント引き渡しのために１８０°位置に停止するからである。この短時間の停止期間は、検査のために充分である。この目的のために白／黒カメラを使用することもできる。２つの側方のカメラによる側方検査によって、コンポーネントの端面が損傷について検査される。中央のカメラによる背面検査によって、コンポーネント背面が損傷について検査される。背面検査のために、複数の画像取り込みを実施して、種々の欠陥を強調することができる。ここで使用されるカメラは、同様にカラーカメラであってもよい。しかし必ずしもそうする必要はない。というのは、以上ですでに述べたように、静止期間に基づいて充分な時間が提供されるからである。
【００９５】
ここに開示される、統合された操作／検査装置は、さらに、下方の転向装置における側方のカメラの形式の画像センサを使用する。これらのカメラは、下方の転向装置の径方向外側の約９０°において、コンポーネントの軌跡が中央のカメラによって正面で検出され、かつ、中央のカメラの両側に位置するカメラによってそれぞれ互いに対向する側面が検出されるように、配置されている。これらのカメラは、必ずしもカラーカメラである必要はない。むしろ、白／黒カメラも使用することができる。この位置において、コンポーネントは、エラーについて調査され、かつ、画像データが、位置データについて評価される。２つの側方のカメラによる側方検査によって、コンポーネントの切断面が損傷について調査される。中央のカメラによる背面検査によって、コンポーネント背面が損傷について検査される。背面検査のために、複数の画像取り込みを実施して、種々の欠陥を強調することができる。その後コンポーネントを受け取り装置内に載置するために、コンポーネントの位置データ（ｘ、ｙ、回動）を側方検査によって求めることができる。他の変形例においては、そのために、背面検査が使用される。この情報は、制御装置によって、任意の補正を実施するために使用される。ここで使用されるカメラは、同様にカラーカメラとすることができる。しかしそれは、必ずしも必要ではない。というのは、静止期間の間に充分な時間が提供されるからである。
【００９６】
ここに開示される統合された操作／検査装置は、さらに、下方の転向装置の中央のカメラの形式の他の画像センサを使用する。このカメラは、３つの個別のチャネルＲ、Ｇ、Ｂを有するカラーカメラとすることができる。３チップカラーカメラが使用されるか、１チップカラーカメラが使用されるかは、重要ではない。３チップカメラは、各カラーＲ、Ｇ、Ｂのために別々の画像センサを有しており、１チップカメラはその代わりに画像センサの前で能動化されるフィルタを使用する。ここで使用される白／黒カメラは、例えば２５５グレイスケールを備える１つのチャネルを有し、カラーカメラの場合には、３つのチャネルの各々がカラーの例えば２５５の輝度レベルを有する。重要なことは、カメラの３つのカラーチャネルが互いに別々に応答可能／読みだし可能であること、又は、制御装置において３つのカラーチャネルの少なくとも１つの分割を行うことができること、である。各チャネルのために、異なる露光時間が可能である。ここでは例として以下の露光時間を使用することができる：５ｍｓ（緑）、１２ｍｓ（赤）、１５ｍｓ（青）。ここに開示される統合された操作／検査装置において、それぞれ能動化されたカラーチャネルに応じて、異なる照明カラーも使用される。白色光は、すべてのカラーの混合であるので、この照明カラーによってすべてのチャネルを同時に応答させることができる。しかしこれは、得られる画像品質が要請に対応しないので、ここでは絶対に行われない。
【００９７】
変形例において、画像センサに半透明のミラーが対応づけられており、そのミラーは、カメラチップの光学軸に対して約４５°の角度で配置されており、かつ、しかるべき光源からの２つの、より多くの、又は、任意の数の、異なる検出スペクトルのカラー光を光学的に結合して、検査領域上へ向けるために、用いられる。検査領域へ、したがってコンポーネント端面又は側面と場合によってはポケット内のその周囲へ向けられたこの光が、そこで反射されて、画像センサの少なくとも１つのカメラチップによって検出される。
【００９８】
さらに変形例において、画像センサに、検査箇所を中心とするリング光源としての光源が対応づけられている。このリング光源は、第３のカラー領域内で約５°−４５°の角度で散乱光を供給する。検査領域へ向けられたこの光も、そこで反射されて、画像センサの少なくとも１つのカメラチップによって検出される。光又は種々の色の光源は、任意に配置することができる、又は、同一の放射角度を有することもできる。
【００９９】
ここに開示される統合された操作／検査装置は、下方の転向装置の中央に、受け取り装置の同軸の照明を結合するための偏向ミラーを使用する。もっと正確には、受け取り装置を通して案内される、コンポーネント用の載置ポケットを有する載置バンドの形式の支持体が、カメラによって検出される。唯一の画像記録によって、エラー、例えばコンポーネントが斜めに載置され、それによって載置ポケット内に正しく位置決めされていないことについて、又は、品質欠陥について、検査が行われる。さらに、この唯一の画像記録によって、次のコンポーネントを載置するための載置バンドの載置ポケットの位置データも検出される。個々のカラーチャネルから獲得すべき情報は、調査すべき課題位置に従って任意に、例えば以下のように、分割することができる：照明タイプ１を有する画像チャネル１：次のコンポーネントを位置決めするための載置バンドの載置ポケットの位置。照明タイプ２を有する画像チャネル２：コンポーネントの品質検査（亀裂、レーザーマーク、破断など）。照明タイプ３を有する画像チャネル３：特殊なコンポーネント又は顧客固有のエラーについての特殊な検査。
【０１００】
統合された操作／検査装置の変形例において、コンポーネントは、「ブラインド」載置される。すなわち、本来の載置プロセスは、載置プロセスの前に画像記録から獲得された、先行するコンポーネントに対応づけられた情報又は位置データに基づいている。載置プロセスの瞬間において、第２の転向装置の中央のカメラは載置箇所を見ない。というのは、その時に載置される収容部が視野を遮るからである。
【０１０１】
変形例において、コンポーネントがねじれているかの情報又は位置データは、下方の転向装置の周面のカメラが提供する。この情報又は位置データは、受け取り装置の制御装置へ伝達される。その前に載置バンドの載置ポケット内に載置されたコンポーネントの画像記録から、受け取り装置の位置が知られている。２つのポケットの間の間隔は、同様にわかっている。それに基づいて、次に載置すべきコンポーネントのために、受け取り装置をどの角度及びｘ−とｙ−量だけ移動させなければならないかを、計算することができる。
【０１０２】
他の装置視点から、しかるべき補完的又は代替的方法ステップが生じる。
【０１０３】
ここに提示される画像センサ技術は、従来のセンサ配置よりも少ない画像取り込みで間に合わせることができる。獲得された画像データは、欠陥部品排除のためにも、操作／検査装置のアクターの位置決めのためにも評価される。この統合されたアーキテクチャ及びそれによって可能になるやり方が、プロセス時間を削減し、かつ、増大されたスループットにおいて検査品質の向上を提供する。
【０１０４】
他の特徴、特性、利点及び可能な変形が、以下の説明から当業者にとって明らかになり、その説明において添付の図面が参照される。図はコンポーネントのための光学的な調査装置を図式的に示している。
【図面の簡単な説明】
【０１０５】
【図１】構造化されたコンポーネントストックからプリズム状又は円筒状のコンポーネントを取り出して、受け取り装置に載置するためのコンポーネント操作装置を図式的に示す側面図である。
【図２】コンポーネントの側面に関して、図１のコンポーネント操作装置の様々な位置及び特性センサの方位を図式的に示している。
【図３】コンポーネント操作装置の１つ又は２つの転向装置の周面に配置された位置及び特性センサを図示的に示す上面図である。
【図４】コンポーネント操作装置と共に使用するための受け取り装置の第１の変形例を図式的に示す斜視図である。
【図５】コンポーネント操作装置と共に使用するための、付属の照明配置を有する位置及び特性センサを図式的に示している。
【図６】コンポーネント操作装置と共に使用するための、受け取り装置の第２の変形例を図式的に示す斜視図である。
【発明を実施するための形態】
【０１０６】
図１には、構造化されたコンポーネントストックから電子半導体チップの形式のプリズム状のコンポーネントＢを取り出して、受け取り装置２００に載置するためのコンポーネント操作装置１００が示されている。ここに提示されるコンポーネント操作装置１００は、コンポーネント操作装置の上方の領域内に水平に配置されているコンポーネントストック、ここではウェファディスク、からコンポーネントＢを固定位置の排出ユニット１１０によって受け取る。
【０１０７】
排出ユニット１１０は、図示される変形例において、コンポーネントストックからコンポーネントを個々に自由にし、それによって第１の転向装置１３０へ供給するために、制御ＥＣＵによって制御されるニードルを用いて作業し、又はレーザービームによって非接触で作業する。この第１の転向装置１３０は、星又はホィールの形状を有し、その周面に、個別化されたコンポーネントＢのための複数（図示される例においては８つ）の収容部１３２を有している。収容部１３２の各々は、第１の転向装置１３０の０°位置において排出ユニット１１０にもっとも近くなった場合に、配給箇所ＳＰＳにおいてコンポーネントを構造化されたコンポーネントストックから受け取るように、整えられている。
【０１０８】
収容部１３２は、星状又はホィール形状の第１の転向装置１３０の（仮想の）周面に径方向外側を向いて配置されており、かつコンポーネントＢを支持する。第１の転向装置１３０の収容部１３２は、回転軸（ここではＸ軸）に対して径方向に走行可能である。したがってこの収容部１３２は、それぞれ収容部１３２の１つに固定されているコンポーネントＢをコンポーネント引き取りとコンポーネント引き渡しの間の揺動角度内−ここでは０°と１８０°の間−で移送することができる。
【０１０９】
第１の転向装置１３０はコンポーネントＢを、詳しく説明されない制御ＥＣＵによって制御されて、第１の軸、ここではＸ軸を中心に第１の引き渡し箇所ＵＳへ第１のあらかじめ定められた角度、ここでは１８０°だけ、回転させる。コンポーネントＢは、その長手軸又は横軸を中心に転向される。複数の、ここでは同様に８つの第２の収容部１５２を有する、第１の転向装置１３０に似た第２の転向装置１５０は、コンポーネントが第２の転向装置１３０の０°位置において引き渡し箇所ＵＳにもっとも近くなった場合に、引き渡し箇所ＵＳにおいて第１の転向装置１３０の収容部１３２からコンポーネントＢを受け取るように、整えられている。
【０１１０】
第２の転向装置１５０は受け取ったコンポーネントＢを、制御ＥＣＵによって制御されて、第２の軸、ここではＹ軸、を中心に第２のあらかじめ定められた角度、ここでは約１８０°だけその長手軸又は横軸を中心に転向させて、載置箇所ＡＢＳへ移送する。
【０１１１】
第１、第２及び／又は第３の軸は、互いに対してそれぞれ９０°プラス／マイナス最大１０°又は１５°の角度を形成し、かつ３次元の直交する座標系において方位づけされている。
【０１１２】
２つの星状又はホィール形状の転向装置１３０、１５０は、互いに対して直交して配置されており、その他、その構造においては互いに一致している。図１の表示とは異なり、２つの転向装置１３０、１５０の配置は、受け取り装置２００の移送方向に関してＺ軸を中心に９０°回動することもできる。この場合においては、下方の転向装置１５０が受け取り装置２００の移送方向に対して少なくともほぼ横方向に方位づけされている。
【０１１３】
第１と第２の転向装置１３０、１５０には、位置及び特性センサＫ１．．．Ｋ４が対応づけられている。図１に示すように、これらのセンサは、配置全体の複数の箇所に位置している。これらのセンサは、第１と第２の転向装置１３０、１５０の位置データ、収容部１３２、１５２にあるコンポーネントＢの位置データ及び収容部１３２、１５２にあるコンポーネントＢの特性データを検出するように、整えられている。その際に獲得されたデータは、制御へ提供される。ここに示す形態において、第１のカメラ配置Ｋ１は、第１の転向装置１３０の中央において垂直上方にコンポーネントストックへ向けられている。３つのカメラを有する第２のカメラ配置Ｋ２（図１においては見られない）は第１の転向装置１３０の周辺において９０°で、それを通過するコンポーネントＢへ向けられている。この第２のカメラ配置Ｋ２についての詳細は、図３に関連して説明される。第２のカメラ配置Ｋ２に相当する、３つのカメラを有する第３のカメラ配置Ｋ３が、第２の転向装置１５０の周辺において、それを通過するコンポーネントＢへ９０°で向けられている。第４のカメラ配置Ｋ４は、第２の転向装置１５０の中央において、載置箇所ＡＢＳ又は受け取り装置２００内の第１の受け取り箇所ＥＳ１へ向けられている。
【０１１４】
制御ＥＣＵは、第１の回転ドライブＤＡ１によって第１の軸（ここではＸ軸）を中心に第１の転向装置１３０を管理して回転させ、かつ第１のリニアドライブＬＡ１によって第１の転向装置１３０を第１の軸に沿って管理して走行させるように、整えられている。
【０１１５】
制御ＥＣＵはさらに、第２の回転ドライブＤＡ２によって第２の転向装置１５０を第１の軸（ここではＸ軸）と共線でない第２の軸（ここではＹ軸）を中心に管理して回転させ、かつ第２のリニアドライブＬＡ２によって第２の転向装置１５０を第２の軸に沿って管理して走行させるように、整えられている。
【０１１６】
画像センサは、コンポーネントＢの端面及び／又は側面を検査して、第１と第２の転向装置１３０、１５０をその軸線に沿って、かつそれを中心に位置決めするための、並びに、収容部１３２、１５２及びそれに配置されたコンポーネントＢと受け取り箇所の、関連データも、提供する。
【０１１７】
コンポーネント操作装置１００には、載置箇所ＡＢＳに対応づけられた、そこへ移送されるコンポーネントＢのための受け取り装置２００が搭載されている。受け取り装置２００には、位置及び特性センサＫ４、Ｋ５が対応づけられており、それらは、載置箇所ＡＢＳへ移送されたコンポーネントＢの位置データ、受け取り装置２００内の受け取り箇所Ｅ１、Ｅ２及びその中にあるコンポーネントＢの位置データと特性を検出して、制御ＥＣＵのために提供するように、整えられている。位置及び特性センサＫ５は、第２の受け取り箇所ＥＳ２に設けられた第２の窓へ向けられた、第５のカメラ配置である。制御ＥＣＵは、第３の回転ドライブＤＡ３を用いて受け取り装置２００を、載置箇所ＡＢＳを含む第３の軸（ここではＺ軸）を中心に管理して回転させ、かつ第３と第４のリニアドライブＬＡ３、ＬＡ４を用いて受け取り装置を第１と第２の軸に沿って管理して走行させるように、整えられている。第４の回転ドライブＤＡ４を用いて制御ＥＣＵは、受け取り装置２００を通して案内される支持体３２０を第１の軸（ここではＸ軸）に沿って管理して走行させる。この支持体３２０は、個別化された形状のコンポーネントＢを第２の転向装置１５０から収容するために、用いられる。転向装置１３０、１５０と回転ドライブＤＡ１、ＤＡ２．．は、そのそれぞれの回転位置を定めるために、それぞれ制御ＥＣＵと接続されている、これ以上説明しない高解像度のアングルエンコーダを有している。
【０１１８】
受け取り装置２００内で第４の回転ドライブＤＡ４は、制御ＥＣＵからの制御信号によって駆動されて、受け取り装置２００を通して案内される支持体３２０を第１の軸（ここではＸ軸）に沿って管理して、支持体３２０の隣接するコンポーネント収容部（ポケット）の間隔の約１００％プラスマイナス最大３％だけ走行させるために、用いられる。間隔は、互いに連続する２つのポケットの中心間隔から生じる。第３の回転ドライブＤＡ３は、制御ＥＣＵからの制御信号によって駆動されて、第２の転向装置１５０の中央の画像特性及び位置センサからの信号に従って、受け取り箇所ＥＳ１の１つをそこにある支持体３２０のコンポーネント収容部と共に載置箇所を含むＺ軸を中心に管理してプラスマイナス６°まで回転させるように、整えられている。
【０１１９】
受け取り装置２００の第４の回転ドライブＤＡ４は、図４に示す変形例において、スプロケットを有しており、そのスプロケットが、支持体３２０（載置バンド）の移送穴３２５内へ嵌入して、それを移送方向に移送する。スプロケットは、好ましくは前進方向のみに回転する。
【０１２０】
この変形例において、受け取り装置２００において、受け取り箇所ＥＳ１の下流側に吸い出し及び／又は吹き出し装置３４０が設けられている。しかしこれは、選択肢である。それによって、制御ＥＣＵからの制御信号によって駆動されて、損傷した、又は誤って位置決めされたことがわかったコンポーネントが、そのポケットから除去される。
【０１２１】
収容部１３２、１５２内にコンポーネントＢを吸引するため、収容部１３２、１５２内にコンポーネントＢを保持するため、制御される吹き出しパルスを用いて、又はそれなしで、コンポーネントＢを載置するため、かつ収容部１３２、１５２からコンポーネントＢを自由に吹き出すために、これらの収容部は詳しく示されない圧縮空気ユニットと接続されている。圧縮空気ユニットは、コンポーネントを個別に収容し、保持し、かつ、再び放出するために、制御ＥＣＵによって管理されて、個々の収容部１３２、１５２に弁制御装置によってそれぞれ必要な時点又は期間で、過圧又は負圧を供給する。
【０１２２】
制御ＥＣＵ並びに位置及び特性センサによって個々のステーションにおいて獲得された検査結果が肯定的である限りにおいて、それぞれのコンポーネントＢは、そのときに載置箇所ＡＢＳに位置する受け取り箇所ＥＳ１、したがって支持体３２０のポケット内へ載置される。獲得された検査結果が否定的である限りにおいて、コンポーネントＢはさらに１つの位置だけ第１の吸い出し器３３０へ回転されて、そこで第２の転向装置１５０の収容部１５２から排除される。この受け取り箇所ＥＳ１を監視する位置及び特性センサ（図５も参照）によって、載置されたコンポーネントＢが載置後に位置又は特性のエラーを有することが明らかになった場合に、それは、受け取り箇所ＥＳ１に対して下流側に位置する第２の吸い出し器３４０によって支持体３２０のポケットから吸い出される。この場合において次に、制御ＥＣＵによって管理されて、受け取り装置２００全体が支持体３２０と共に支持体３２０の２つのポケットの中心間隔だけ、第３のリニアドライブユニットＬＡ３によって支持体３２０の移送方向とは逆に戻される。その後、次のコンポーネントＢが第２の転向装置１５０において支持体３２０のからになったポケット内へ挿入される。
【０１２３】
他の変形例において、受け取り箇所ＥＳ１において斜めになったコンポーネントを吸い出すために、第１の受け取り箇所ＥＳ１に、付加的な詳しく示されない吸い出し装置が対応づけられている。品質エラーがあった場合に、位置及び特性センサＫ４によって、又は第２の窓における位置及び特性センサＫ５によって、それを検出することができる。位置及び特性センサＫ５が品質エラーを検出した限りにおいて、受け取り装置２００が支持体３２０と共に戻るように移送されて、その後載置箇所においてコンポーネントＢが支持体３２０のポケットから吸い出される。
【０１２４】
斜めに、したがって支持体３２０のポケットの内部に部分的にのみ収容された、又はコンポーネント載置箇所ＡＢＳ／受け取り箇所ＥＳ１に載置されたコンポーネントの傾きは、受け取り箇所ＥＳ１に対応づけられた、他の位置及び特性センサＫ６によって認識することができる。この位置及び特性センサＫ６は、ここに示す変形例において、支持体３２０に対して側方に配置されており、かつ支持体３２０の上エッジの上方の方向変換ミラーを介して受け取り箇所ＥＳ１を検出する。センサＫ６は、ここに示す変形例において、受け取り装置２００と堅固に結合されており、それによって受け取り装置の変位運動、又はもっと正確に言うと、受け取り装置２００のフレーム３５０の、ドライブＬＡ３によってもたらされる、第１の軸（ここではＸ軸）に沿った変位運動、ドライブＬＡ４によってもたらされる、第２の軸（ここではＹ軸）に沿った変位運動、又はドライブＤＡ３によってもたらされる、第３の軸（ここではＺ軸）を中心とする変位運動が、直接センサＫ６によって一緒に実施される。それによってセンサＫ６によって検出された情報は、不正確さ／不鮮明さがより少ない。というのは、例えば受け取り装置２００の外部にセンサがある場合のように、検出すべき対象がセンサＫ６に対して空間的に移動しないからである。載置箇所ＡＢＳ／受け取り装置２００内の第１の受け取り箇所ＥＳ１へ向けられた、第２の転向装置１５０内の中央の第４のカメラ配置Ｋ４は、例えば受け取り装置２００の外部に位置する、この種のセンサである。
【０１２５】
特にセンサＫ６は、フレーム３５０と堅固に結合されており、その中でコンポーネントＢを収容するためのポケットを有する支持体３２０が案内されている。したがってセンサＫ６について、コンポーネントの位置に関して、載置箇所における支持体３２０のポケットの上方の端縁を検出するための、空間的にはっきりと定められた測定状況が生じる。
【０１２６】
これによって、移送速度がきわめて高く、それに基づいて、コンポーネントあたりの状況検出、評価及び反応のための時間が短い場合でも、正確な措置をとる可能性が拓かれる。正しい措置は、場合によっては、コンポーネントが調査されたポケット内に正確に位置しているので、支持体３２０をさらに移送することであり、又は支持体３２０の調査されたポケットからのコンポーネントの吸い出しを実施して、場合によっては調査されたポケットに他のコンポーネントＢを新たに充填することである。
【０１２７】
センサＫ６は、ここに示す変形例において、単純なストライプ−光センサであって、それが、図６内の後方の、フレーム３５０の長手側の固定位置に配置されている。この（ストライプ−光）センサＫ６は、図６内で前方の、フレーム３５０の長手側の固定位置に配置されたストライプ光源３６０からの光バンドＬＢによって照射される。もっと正確に言うと、ストライプ光源３６０に対して、センサＫ６に対応づけられた偏向ミラーＭが配置されており、その偏向ミラーが、支持体３２０の上面に対して平行に光源３６０から送出された光バンドＬＢを、（ストライプ−光）センサＫ６へ方向変換させる。光バンドＬＢが支持体３２０をその上面に対して最小の間隔で、支持体３２０の移送方向に対して横方向に、移送方向におけるポケットの寸法を両側で上回る長さにおいて走査する。支持体３２０のポケット内に完全に載置されていないコンポーネントＢは、ポケットから少なくとも部分的に張り出し、したがって光バンドＬＢをそれに応じて部分的に遮る。図６に示す（部分的な）陰は、（ストライプ−光）センサＫ６によって容易かつ効率的に検出されて、このセンサから制御ＥＣＵへ伝達される。
【０１２８】
ここに示される変形例において、（ストライプ−光）センサＫ６は、スペースの理由から、偏向ミラーＭが支持体３２０の上面を走査する光バンドＬＢを、フレーム３５０に固定された（ストライプ−光）センサＫ６へ案内するように、フレーム３５０の側方の固定位置に配置されている。光源３６０は、（ストライプ−光）センサＫ６と同様に下方においてフレーム３５０に固定することもでき、かつ、図示されない第２の偏向ミラーを介して、支持体３２０の上方の光バンドＬＢをその上面に対して最小の間隔で、支持体３２０の移送方向に対して横方向に偏向ミラーＭへ案内する。
【０１２９】
単純な（ストライプ−光）センサの代わりに、センサＫ６として白黒カメラ又はカラーカメラを設けることもできる。（ストライプ−光）センサとしての変形例においても、カメラとしてのそれにおいても、センサＫ６にとって光と視認状況が明確に充分である場合に、ストライプ光源３６０は、省くこともできる。ストライプ光源３６０は、並べて位置決めされた複数の個別の光源から、又は、光ビームを形成する適切な光学素子を有する単独光源から、形成することができる。放出される光は、可視の又は不可視のスペクトル内にあり、かつセンサＫ６の受信スペクトルに合わせられている。
【０１３０】
すなわち、支持体３２０のポケット内に載置されたコンポーネントが、ポケット内に正しく載置されておらず、その代わりにポケット内で傾いており、したがってコンポーネントの角部又はエッジが上方の端縁を越えて（部分的に）張り出している場合に、きわめて確実かつきわめて迅速に認識される。これは、垂直上方からポケットへ向けられているセンサ配置Ｋ４によっても、可能ではある。もちろんは、第２の転向装置１５２の中心のセンサＫ４が第２の転向装置１５２の２つの収容部の間で、載置箇所ＡＢＳ又は受け取り装置２００内の第１の受け取り箇所ＥＳ１への自由な視野を再び有するまでの間は、支持体３２０は満たされているポケットと共に留まらなければならない。これは、スループットへの時間的制限となる。というのは、満たすべき次のポケットの新規方向付けは、同様に充分な時間を必要とするからである。
【０１３１】
以上で詳細に説明した、支持体３２０の上エッジの上方でコンポーネント載置箇所ＡＢＳにあるポケットの領域内で横方向に検査するセンサＫ６は、この制限をもたない。というのは、これは受け取り装置２００のフレームに設けられたハウジング内の支持体３２０の側方に統合されているからである。これは、実際には外側からは見えず、支持体３２０の上エッジの上方の偏向ミラーを介して見ている。
【０１３２】
このセンサＫ６、及び、場合によっては、光源は、受け取り装置２００のフレーム３５０と堅固に結合されており、かつ、ポケットが第２の転向装置１５２のコンポーネントＢを載置する収容部１５２に対して整合されている場合（６時の位置にある場合）に、受け取り装置２００と共に移動される。それに対してセンサＫ４、Ｋ５は固定位置に配置されている。これが、確実かつ迅速な画像評価を困難にする。といるのは、受け取り装置２００のフレーム３５０は、稼働中にこれらのセンサＫ４、Ｋ５に対して移動するからである。
【０１３３】
センサＫ６が、ポケット内で傾いているコンポーネントを認識して、それを制御ＥＣＵへ伝達した場合に、この制御ＥＣＵは受け取り装置２００を戻させる。もっと正確に言うと、そのフレーム３２０をその中にある支持体と共に吸い出し位置へ、戻させる。傾いたコンポーネントを除去するために、吸い出し器３４０が、例えば斜め上から、又は側方から、吸い出し位置へ近づくように移動する。同時に、傾いたコンポーネントを有するポケットを備えたフレーム３２０が、リニアドライブＬＡ３によってＸ方向に、吸い出し位置ＡＰへ近づくように移動する。支持体を移送する回転ドライブＤＡ４は、回転しない。他の変形例においては、受け取り装置２００は全体として、そのドライブと共にキャリッジ上でＸ方向に長手移動可能に堅固なベースプレート上に取り付けられている。受け取り装置２００は駆動のためのベースプレートと共に、第２の転向装置１５２の下方の作業位置に固定可能であって、かつ例えば保守目的のために、第２の転向装置１５２に対して摺動可能であり、かつその後保守位置に固定可能である。
【０１３４】
すなわち、ポケット内に正しく載置されないコンポーネントの傾き又は張り出しを認識して、除去することができる。
【０１３５】
受け取り装置２００から欠陥のあるコンポーネントＢを取り出す方法は、１つの変形例において、以下のステップを実施する：
支持体３２０のポケット内に正しく載置されていないコンポーネントＢが、第１の受け取り箇所ＥＳ１において検出され、そのために特に受け取り装置２００に、上述したやり方でセンサ配置が搭載されており；
受け取り装置２００が、移送方向とは逆に、正しく載置されていないコンポーネントＢが吸い出し位置へ来るような距離だけ移動され、受け取り装置２００内で案内されている支持体３２０は移送されない；
正しく載置されていないコンポーネントＢが、吸い出し位置において支持体３２０のポケットから吸い出され；
受け取り装置２００が移送方向に、空になったポケットが第１の受け取り箇所ＥＳ１にくるような距離だけ移動され、受け取り装置２００内で案内されている支持体３２０は移送されず、かつ
第１の受け取り箇所ＥＳ１において支持体３２０のポケット内にコンポーネントＢが載置される。
【０１３６】
吸い出し位置は、図６に示すように、第２の受け取り箇所ＥＳ２と一致することができる。しかし吸い出し位置は、第２の受け取り箇所ＥＳ２とは異なる位置に、載置箇所ＡＢＳの上流側又は下流側に設けることができる。吸い出し位置は、受け取り装置内で案内されている支持体の移送方向において、第２の受け取り箇所ＥＳ２から、第１の受け取り箇所ＥＳ１からよりも、さらに離隔することができる。吸い出し装置４５０は、引き戻された（非作動）位置から吸い出し位置へ向かって揺動又は移動するように、整えることもできる。
【０１３７】
図１と組み合わせて図２から明らかなように、第１の転向装置１３０の中央の位置及び特性センサとしてのカメラ配置Ｋ１は、コンポーネントストックへ向けられている。それによってコンポーネントＢの端面Ｄ２が位置と欠陥について検査される。カメラ配置Ｋ１は、第１の転向装置１３０の転向の間に２つの隣接する収容部１３２の間を通して画像取り込みを実施するように、整えられている。制御装置はこれらのデータから、放出ユニット、コンポーネントストックもしくはウフェァおよび第１の転向装置１３０のしかるべき補正運動を発生させる。
【０１３８】
第２のカメラ配置Ｋ２は、位置及び特性センサとして、第１の転向装置１３０の周辺のその３つのカメラが約９０°でコンポーネントＢの３つの面Ｓ２、Ｓ４及びＤ１へ向けられている。カメラ配置Ｋ２の３つのカメラＫ２−１、Ｋ２−２及びＫ２−３が、図３に上面図で示されている。中央のカメラＫ２−２がコンポーネントＢの端面Ｄ１を検査し、２つの外側のカメラＫ２−１とＫ２−３がそれぞれのミラーＳＰ１とＳＰ２を介してコンポーネントＢの側面Ｓ２とＳ４を検査する。取得された画像取り込みから、これらの面おける可能な欠陥の他に、その収容部１３２におけるコンポーネントＢの正確な位置と回転も定められる。この情報は制御ＥＣＵ内で、検査されたコンポーネントＢが引き渡し箇所ＵＳにおいて第１の転向装置１３０から第２の転向装置１５０へ引き渡される場合に、第１の転向装置１３０と第２の転向装置１５０のその軸に沿った方向づけと回転方位を変化させるために、使用される。
【０１３９】
第３のカメラ配置Ｋ３は、位置及び特性センサとして、第２の転向装置１５０の周辺の外部のその３つのカメラが、コンポーネントＢの３つの面Ｓ１、Ｓ３及びＤ２へ約９０°で向けられている。このカメラ配置Ｋ３は、その構造とその配置において、図３の３つのカメラと２つのミラーを有するカメラ配置Ｋ２に相当する。その際に検出された画像取り込みから、これらの面におけるコンポーネントＢの可能な欠陥の他に、第２の転向装置１５０のその収容部１５２におけるコンポーネントＢの正確な位置と回転も定められる。この情報が制御ＥＣＵ内で、検査されたコンポーネントＢが引き渡し箇所ＵＳにおいて第２の転向装置１５０から載置箇所ＡＢＳに位置する受け取り箇所ＥＳ１内へ、したがって支持体３２０のポケット内へ載置される場合に、第２の転向装置１５０と受け取り装置２００のその軸線に沿った方向付け及び回転方位を変化させるために、使用される。
【０１４０】
第４のカメラ配置Ｋ４は、位置及び特性センサとして、第２の転向装置１５０の中央で受け取り装置２００内の受け取り箇所Ｅ１へ向けられている。このカメラ配置Ｋ４も、第２の転向装置１５０の転向運動の間に２つの隣接する収容部の間を通して画像取り込みを実施するように、整えられている。制御ＥＣＵは、その後、第２の転向装置１５０と受け取り装置２００のしかるべき補正運動を行わせる。
【０１４１】
図５に示す位置及び特性センサ４００は、画像センサとして、カメラ配置Ｋ１−Ｋ５の変形例である。このセンサ４００は、可視の光スペクトルを記録するカメラチップ４１０を有している。この画像センサ４００において、互いに異なる３つの検出スペクトルは、カラーセンサの赤い色領域（６３０ｎｍプラスマイナス３０ｎｍ）、緑の色領域（５３０ｎｍプラスマイナス６０ｎｍ）、そして青の色領域（４６０ｎｍプラスマイナス５０ｎｍ）として形成されている。
【０１４２】
画像センサ４００には、半透明のミラー４２０が対応づけられており、そのミラーはカメラチップ４１０の光学軸に対して約４５°の角度で配置されている。半透明のミラー４２０は、しかるべき光源４４０から２つの検出スペクトルの、ここでは緑の色領域と青の色領域の、色の光を光学的に結合して、コンポーネントＢの正面へ向けるために、用いられる。コンポーネントＢへ向けられた、緑と青の色領域内のこの光を、カメラチップ４１０が検出する。それぞれ空間的な条件に応じて、他の偏向ミラー、プリズム、カラーフィルタ又はレンズを設けることもできる。
【０１４３】
ある形態において、他の光源４５０が、載置箇所ＡＢＳに位置する受け取り箇所ＥＳ１の回りに環状光源として配置されて、約５°−４５°の角度で赤の色領域内の散乱光をコンポーネントＢの上面へ供給する。コンポーネントＢへ向けられた赤の色領域内のこの光も、カメラチップ４１０が検出する。
【０１４４】
光学的に作用する部材及び／又は放射源の各々は、他のものから独立して方向付けし、かつ／又は調整し、かつ／又は合焦するように、整えることができる。
【０１４５】
カメラチップ４１０は、この変形例において、３つの個別チャネルＲ、Ｇ、Ｂを有するカラーカメラである。しかしまた、より多いチャネルを有するカメラとすることもできる。カメラの３つのカラーチャネルは、互いに別々に応答可能／読み出される。唯一の画像記録によって、コンポーネントＢがエラーについて、例えばコンポーネントＢが斜め載置されたので支持体３２０内に設けられているポケット内に正しく位置決めされていないことが、又は品質欠陥について、検査される。さらにこの唯一の画像記録によって、次のコンポーネントＢを載置するために、支持体３２０のポケットの正確な位置が検出される。個々のカラーチャネルから獲得すべき情報は、以下のように分割される：照明タイプ１を有する画像チャネル１：次のコンポーネントを位置決めするための載置バンドの載置ポケットの位置。照明タイプ２を有する画像チャネル２：コンポーネントの品質検査（亀裂、レーザーマーク、破断など）。照明タイプ３を有する画像チャネル３：特殊なコンポーネント又は顧客固有のエラーについての特殊な検査。
【０１４６】
ここに提示される画像センサ技術によって、欠陥部品排除及びアクターの位置決めを実現するために、従来のセンサ配置よりも少ない画像取り込みしか必要とされない。
【０１４７】
なお、ここには数値領域と数値が開示されているが、開示された値と上述した領域内部の数値的下位領域の間のすべての数値は、同様に開示されているものと見なされる。
【０１４８】
上述した装置の変形例及びその構造と駆動の視点は、単に構造、機能方法及び特性を理解しやすくするために用いられる；それらは開示を、実施例に限定するものではない。図は、部分的に図式的であり、重要な特性及び効果は、機能、作用原理、技術的形態及び特徴を明らかにするために、著しく拡大して示されている。図内及びテキスト内で開示されている、各機能方法、各原理、各技術的形態及び各特徴は、すべての請求項、テキスト内及び他の図内の各特徴、この開示に含まれ、又はそれらから生じる他の機能方法、原理、技術的形態及び特徴と、自由かつ任意に組み合わせることができるので、考えられるすべての組合せは、上述したやり方に対応づけられる。テキスト内の、すなわち説明の各セクション内、請求項内のすべての個別の形態の間の組合せ、及びテキスト内、請求項内及び図内の種々の変形例の間の組合せも、含まれている。特許請求の範囲も、開示及びそれに伴ってすべての示された特徴の互いに対する組合せ可能性を制限するものではない。すべての開示された特徴は、個々に、かつ他のすべての特徴との組合せにおいて、ここに開示されている。
【図１】
2020517110.tif 000003
【図２】
2020517110.tif 000004
【図３】
2020517110.tif 000005
【図４】
2020517110.tif 000006
【図５】
2020517110.tif 000007
【図６】
2020517110.tif 000008
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
コンポーネント（Ｂ）用の受け取り装置（２００）であって、前記受け取り装置が、載置箇所（ＡＢＳ）に対して少なくとも１つのリニアドライブ（ＬＡ４）によって少なくとも部分的に第１、第２及び／又は第３の軸線（Ｘ−、Ｙ−、Ｚ軸）に沿って管理されて変位し、かつ／又はドライブ（ＤＡ４）によって、受け取り装置（２００）を通して案内される支持体（３２０）を、第１及び／又は第２の軸（Ｘ軸、Ｙ軸）の１つに沿って管理して走行させるように、整えられており、かつ受け取り装置が位置センサ（Ｋ６）を有し、前記位置センサが、コンポーネント載置箇所（ＡＢＳ）において支持体（３２０）のポケット内に部分的にのみ載置されたコンポーネント（Ｂ）を検出するために、コンポーネント載置箇所（ＡＢＳ）に対応づけられており、その場合に位置センサ（Ｋ６）が支持体（３２０）に対して側方で受け取り装置（２００）と次のように、すなわち位置センサ（Ｋ６）が受け取り装置（２００）の運動を直接的に受け取り装置と一緒に実施するように、結合されている、コンポーネント（Ｂ）用の受け取り装置（２００）。
【請求項２】
受け取り装置が、回転ドライブ（ＤＡ３）によって、少なくとも部分的に、載置箇所（ＡＢＳ）を含む第３の軸（Ｚ軸）を中心に管理されて回転するように、整えられている、請求項１に記載のコンポーネント（Ｂ）用の受け取り装置（２００）。
【請求項３】
センサ（Ｋ６）が、ドライブ（ＬＡ３）によってもたらされる、第１の軸（Ｘ軸）に沿った、かつ／又はドライブ（ＬＡ４）によってもたらされる、第２の軸（Ｙ軸）に沿った、かつ／又はドライブ（ＤＡ３）によってもたらされる、第３の軸（Ｚ軸）を中心とする、受け取り装置（２００）の運動を、受け取り装置（２００）と一緒に実施する、請求項１又は２に記載のコンポーネント（Ｂ）用の受け取り装置（２００）。
【請求項４】
載置箇所（ＡＢＳ）においてコンポーネント（Ｂ）の位置に関して、フレーム（３５０）内で案内される支持体（３２０）のポケットの上方の端縁を検出するために、センサ（Ｋ６）が受け取り装置（２００）のフレーム（３５０）と堅固に結合されており、コンポーネント（Ｂ）を収容するためのポケットを有する支持体（３２０）が、前記フレーム内で案内される、請求項１から３のいずれか１項に記載のコンポーネント（Ｂ）用の受け取り装置（２００）。
【請求項５】
センサ（Ｋ６）がストライプ−光センサとして形成されており、前記ストライプ−光センサが、フレーム（３５０）の１つの側に固定的に配置されており、かつ、フレーム（３５０）の反対側の側に配置されたストライプ光源（３６０）からの光バンド（ＬＢ）を検出するように、整えられている、請求項１から４のいずれか１項に記載のコンポーネント（Ｂ）用の受け取り装置（２００）。
【請求項６】
センサ（Ｋ６）が次のように、すなわち光バンド（ＬＢ）を、支持体（３２０）の上面に対して少なくともほぼ平行に、支持体（３２０）の移送方向に対して横方向に、移送方向におけるポケットの寸法に少なくとも相当する長さで走査した後に、光バンドを検出し、この検出した光バンド（ＬＢ）をその長さについて評価するように、整えられており、その場合に光バンド（ＬＢ）が載置箇所（ＡＢＳ）においてフレーム（３５０）内で案内される支持体（３２０）のポケットの上方の端縁に対して次のように、すなわち支持体（３２０）のポケット内に完全に載置されていないコンポーネント（Ｂ）がポケットから少なくとも部分的に張り出し、したがって光バンド（ＬＢ）がそれに応じて少なくとも部分的に遮られるように、方向付けされており、かつその場合にセンサＫ６が、それを制御装置（ＥＣＵ）へ伝えるように整えられている、請求項４又は５に記載のコンポーネント（Ｂ）用の受け取り装置（２００）。
【請求項７】
センサ（Ｋ６）が、支持体（３２０）の下方において側方にフレーム（３５０）に配置されており、かつ、偏向ミラー（Ｍ）が設けられており、前記偏向ミラーが支持体（３２０）の上側を走査する光バンド（ＬＢ）をフレーム（３５０）に固定されたセンサ（Ｋ６）へ案内し、かつ／又は、
光源（３６０）が、支持体（３２０）の下方において側方にフレーム（３５０）に配置されており、かつ、第２の偏向ミラーが、光バンド（ＬＢ）を、支持体（３２０）の上側を越えて偏向ミラー（Ｍ）へ案内する、
請求項１から６のいずれか１項に記載のコンポーネント（Ｂ）用の受け取り装置（２００）。
【請求項８】
センサ（Ｋ６）が、白黒カメラとして、あるいはカラーカメラとして形成されている、請求項１から７のいずれか１項に記載のコンポーネント（Ｂ）用の受け取り装置（２００）。
【請求項９】
画像特性センサ及び／又は位置センサ（Ｋ４）が、受け取るべきコンポーネント（Ｂ）もしくは受け取り箇所に特性エラー及び／又は位置エラーがある場合に、しかるべき補正運動を行わせるために、制御装置（ＥＣＵ）によって補正指示を発生させる目的をもって、受け取るべきコンポーネント（Ｂ）の特性及び／又は位置をその特性及び／又は受け取り箇所（ＥＳ１、ＥＳ２）の少なくとも１つに対するその位置に関して、求めるために設けられており、かつ／又は、
第４の回転ドライブ（ＤＡ４）が、制御装置（ＥＣＵ）からの制御信号によって駆動されて、受け取り装置（２００）を通して案内される支持体（３２０）を機械的な牽引によって、第１及び／又は第２の軸（Ｘ−、Ｙ軸）の１つに沿って管理して走行させるように
整えられており、かつ／又は、
第３の回転ドライブ（ＤＡ３）が、制御装置（ＥＣＵ）からの制御信号によって駆動されて、画像特性及び／又は位置センサからの信号に従って、受け取り箇所（ＥＳ１、ＥＳ２）の少なくとも１つをそこに位置する支持体（３２０）のコンポーネント収容部と共に、載置箇所（ＡＢＳ）を含む第３の軸（Ｚ軸）を中心に管理して回転させるように、整えられており、かつ／又は、
少なくとも１つのリニアドライブが、制御装置（ＥＣＵ）からの制御信号によって駆動されて、受け取り装置（２００）を支持体（３２０）の隣接するコンポーネント収容部の間隔の一部だけ第１、第２及び／又は第３の軸（Ｘ−、Ｙ−、Ｚ軸）の１つに沿って管理して走行させるように、整えられており、かつ／又は、
回転ドライブ（ＤＡ４）が、受け取り装置（２００）を通して案内される支持体（３２０）を支持体（３２０）の隣接するコンポーネント収容部の間隔に従って、第１及び／又は第２の軸（Ｘ−、Ｙ軸）の１つに沿って前進させるように、整えられている、
請求項１から８のいずれか１項に記載の受け取り装置（２００）。
【請求項１０】
受け取り装置（２００）の受け取り箇所（ＥＳ１、ＥＳ２）の少なくとも１つから、かつ／又は受け取り装置（２００）内で案内されている支持体（３２０）から、欠陥のある、かつ／又は誤って位置決めされたことが認識されたコンポーネント（Ｂ）を除去するために、吸い出し及び／又は吹き出し装置（３４０）が設けられており、かつ／又は、
受け取り装置が転向装置（１５０）からコンポーネントを受け取り、前記転向装置の回転軸が受け取り装置（２００）の移送方向に対して実質的に平行に方位づけされており、あるいは受け取り装置（２００）がコンポーネント（Ｂ）を転向装置（１５０）から受け取り、前記転向装置の回転軸が受け取り装置（２００）の移送方向に対して実質的に横方向に方位づけされている、
請求項１から９のいずれか１項に記載の受け取り装置（２００）。
【請求項１１】
転向装置（１５０）の中央に、受け取るべきコンポーネントの特性及び／又は位置を求めるため、かつ／又は受け取り装置内の受け取り箇所かつ／又はその中にあるコンポーネントの位置を求めるために、画像特性及び／又は位置センサ（Ｋ４）が設けられており、かつ転向装置（１５０）の周面に位置する、隣接する収容部（１５２）を通して、引き渡し箇所（ＡＢＳ）の少なくとも１つ又は受け取り装置（２００）内の受け取り箇所（ＥＳ１、ＥＳ２）の画像取り込みを実施するように、整えられている、請求項１から１０のいずれか１項に記載の受け取り装置（２００）。
【請求項１２】
受け取り装置が載置箇所（ＡＢＳ）に対して、リニアドライブによって少なくとも部分的に第１の軸（Ｘ軸）に沿って管理されて両方向に走行し、かつ／又は回転ドライブ（ＤＡ４）によって、受け取り装置（２００）を通して案内される支持体（３２０）が第１及び／又は第２の軸の１つに沿って管理されて、支持体（３２０）の移送方向に走行し、かつ受け取り装置（２００）を通して案内される支持体（３２０）に２つの受け取り箇所（ＥＳ１、ＥＳ２）が設けられており、前記受け取り箇所がコンポーネント（Ｂ）のための載置箇所（ＡＢＳ）に対して、ドライブの管理された操作によって、少なくともほぼ整合するように方向づけされており、かつ画像特性及び／又は位置センサ（Ｋ４）が、受け取り装置内の受け取り箇所（ＥＳ１、ＥＳ２）の少なくとも１つにおける、その特性及び／又はその位置に関して調査すべきコンポーネントの特性及び／又は位置を供給し、その場合に特性及び／又は位置センサからの画像データに基づいて、コンポーネントに特性及び／又は位置エラーがある場合に、制御装置（ＥＣＵ）によって、受け取り装置（２００）及び／又はその中で案内される支持体（３２０）のしかるべき補正運動を行わせるために補正指示が行われ、かつ受け取り装置（２００）に吸い出し及び／又は吹き出し装置（３４０）が対応づけられており、それによって受け取り装置（２００）内の受け取り箇所（ＥＳ１、ＥＳ２）の少なくとも１つ、及び／又は受け取り装置（２００）内で案内される支持体（３２０）から、欠陥のある、かつ／又は誤って位置決めされたことが認識されたコンポーネント（Ｂ）が除去される、請求項１から１１のいずれか１項に記載の受け取り装置（２００）。
【請求項１３】
吸い出し位置が、載置箇所（ＡＢＳ）と一致するか、あるいは第２の受け取り箇所（ＥＳ２）とは異なる位置に、載置箇所（ＡＢＳ）に対して上流側又は下流側に設けられており、かつ／又は
その場合に吸い出し位置（ＡＢＳ）が受け取り装置（２００）内で案内される支持体の移送方向において、第１の受け取り箇所（ＥＳ１）よりも第２の受け取り箇所（ＥＳ２）からさらに離隔しており、かつ／又は
その場合に、欠陥のある、かつ／又は誤って位置決めされたことが認識されたコンポーネント（Ｂ）を除去するために、吸い出し装置及び／又は吹き出し装置（３４０）が、引き戻された（非作動）位置から吸い出し位置へ揺動又は移動されるように、整えられている、
請求項１から１２のいずれか１項に記載の受け取り装置（２００）。
【請求項１４】
請求項１に記載の受け取り装置（２００）から欠陥のあるコンポーネント（Ｂ）を取り出す方法であって、その場合に方法が以下のステップ：
第１の受け取り箇所（ＥＳ１）におけるコンポーネント（Ｂ）について、支持体（（３２０）のポケット内に正しく載置されていないコンポーネント（Ｂ）を検出し、
受け取り装置（２００）をリニアドライブ（ＬＡ３）によって移送方向とは逆に移動させ、それによって正しく載置されなかったコンポーネント（Ｂ）が吸い出し位置に配置され、その場合に受け取り装置（２００）内で案内される支持体（３２０）を移送せず、
正しく載置されなかったコンポーネント（Ｂ）を吸い出し位置において支持体のポケットから吸い出すことによって引き抜き、
受け取り装置（２００）をリニアドライブ（ＬＡ３）によって移送方向に移動させ、それによってコンポーネント（Ｂ）のための空のポケットが第１の受け取り箇所（ＥＳ１）に配置され、その場合に受け取り装置（２００）内で案内される支持体（３２０）を移送せず、
第１の受け取り箇所（ＥＳ１）において支持体（３２０）のポケット内にコンポーネント（Ｂ）を載置する、
を有する、方法。
【国際調査報告】
2020517110.tif 000009
2020517110.tif 000010
2020517110.tif 000011
2020517110.tif 000012
2020517110.tif 000013
2020517110.tif 000014